(57)【要約】  本発明は、被検者の脳卒中のリスクを予測する方法、および臨床的脳卒中リスクスコアの予測精度を向上させる方法、に関する。本発明の方法は、被検者からのサンプルにおける、アンジオポエチン−２（Ａｎｇ−２）の量および／またはインスリン様増殖因子結合タンパク質７（ＩＧＦＢＰ７）の量の決定に基づく。さらに、本発明は、被検者の脳卒中のリスクを予測するための、前記被検者からのサンプルにおける、ｉ）バイオマーカーＡｎｇ−２および／もしくはバイオマーカーＩＧＦＢＰ７、ならびに／またはｉｉ）Ａｎｇ−２に特異的に結合する少なくとも１種の検出剤および／もしくはＩＧＦＢＰ７に特異的に結合する少なくとも１種の検出剤の使用に関する。【特許請求の範囲】
【請求項１】
被検者の脳卒中のリスクを予測する方法であって、
（ａ）前記被検者からのサンプル中のアンジオポエチン−２（Ａｎｇ−２）の量および／またはインスリン様増殖因子結合タンパク質７（ＩＧＦＢＰ７）の量を決定するステップ、ならびに
（ｂ）基準量とＡｎｇ−２の量および／またはＩＧＦＢＰ７の量を比較し、それによって脳卒中のリスクが予測されるステップ、
を含む、方法。
【請求項２】
前記被検者は、心房細動を患う、請求項１に記載の方法。
【請求項３】
前記心房細動は、発作性、持続性または恒久性の心房細動である、請求項１または２に記載の方法。
【請求項４】
前記被検者は、脳卒中またはＴＩＡ（一過性脳虚血発作）の病歴を有する、請求項１〜３のいずれか一項に記載の方法。
【請求項５】
前記被検者は、抗凝固療法を受ける、請求項１〜４のいずれか一項に記載の方法。
【請求項６】
前記被検者はヒトである、および／または前記サンプルは血液、血清または血漿である、請求項１〜５のいずれか一項に記載の方法。
【請求項７】
前記基準量と比較して、Ａｎｇ−２の量および／もしくはＩＧＦＢＰ７の量が増加する場合は、脳卒中を患うリスクがある被検者を示唆する、ならびに／または、前記基準量と比較して、Ａｎｇ−２の量および／もしくはＩＧＦＢＰ７の量が減少するもしくは変化しない場合は、脳卒中を患うリスクがない被検者を示唆する、請求項１〜６のいずれか一項に記載の方法。
【請求項８】
予測ウィンドウが最大１０年の期間である、請求項１〜７のいずれか一項に記載の方法。
【請求項９】
さらに、前記被検者が脳卒中を患うリスクがあると特定された場合に、抗凝固療法を推奨するステップまたは抗凝固療法の強化を推奨するステップを含む、請求項１〜８のいずれか一項に記載の方法。
【請求項１０】
被検者における脳卒中のリスクを予測する方法であって、
ａ）既知の臨床的脳卒中リスクスコアを有する前記被検者からのサンプルにおいて、Ａｎｇ−２の量および／またはインスリン様増殖因子結合タンパク質７（ＩＧＦＢＰ７）の量を決定するステップ、
ｂ）前記被検者の前記臨床的脳卒中リスクスコアを評価するステップ、ならびに
ｃ）ステップａ）およびｂ）の結果に基づいて、脳卒中の前記リスクを予測するステップ
を含む、方法。
【請求項１１】
被検者の臨床的脳卒中リスクスコアの予測精度を改善する方法であって、
ａ）既知の臨床的脳卒中リスクスコアを有する前記被検者からのサンプルにおいて、Ａｎｇ−２の量および／またはインスリン様増殖因子結合タンパク質７（ＩＧＦＢＰ７）の量を決定するステップ、ならびに
ｂ）Ａｎｇ−２および／またはＩＧＦＢＰ−７の量の値を前記臨床的脳卒中リスクスコアと組み合わせ、それによって、前記臨床的脳卒中リスクスコアの予測精度が改善されるステップ、
を含む、方法。
【請求項１２】
前記臨床的脳卒中リスクスコアは、ＣＨＡ２ＤＳ２−ＶＡＳｃスコア、ＣＨＡＤＳ２スコアまたはＡＢＣスコアである、請求項１０または１１に記載の方法。
【請求項１３】
被検者の脳卒中のリスクを予測するための、前記被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用。
【請求項１４】
臨床的脳卒中リスクスコアの予測精度を改善するための、被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用。
【請求項１５】
被検者が脳卒中を患うリスクを予測するための、臨床的脳卒中リスクスコアと組み合わされた、被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤の使用。
【発明の詳細な説明】
【技術分野】
【０００１】
本発明は、被検者の脳卒中のリスクを予測する方法、および臨床的脳卒中リスクスコアの予測精度を向上させる方法、に関する。本発明の方法は、被検者からのサンプル中のアンジオポエチン−２（Ａｎｇ−２）の量および／またはインスリン様増殖因子結合タンパク質７（ＩＧＦＢＰ７）の量の決定に基づくものである。さらに、本発明は、被検者の脳卒中のリスクを予測するための、前記被検者からのサンプルにおける、ｉ）バイオマーカーＡｎｇ−２および／もしくはバイオマーカーＩＧＦＢＰ７、ならびに／またはｉｉ）Ａｎｇ−２に特異的に結合する少なくとも１種の検出剤および／もしくはＩＧＦＢＰ７に特異的に結合する少なくとも１種の検出剤の使用、に関する。
【背景技術】
【０００２】
脳卒中は、高所得国における失われた障害調整生存年数の原因として、また世界中の死因として、虚血性心疾患に次いで、２番目となっている。脳卒中のリスクを低減するためには、抗凝固療法が最も適切な治療法と考えられる。
【０００３】
心房細動（Ａｔｒｉａｌ  ｆｉｂｒｉｌｌａｔｉｏｎ：ＡＦ）は、脳卒中の重要なリスク因子である（Ｈａｒｔ  ｅｔ  ａｌ．，Ａｎｎ  Ｉｎｔｅｒｎ  Ｍｅｄ  ２００７，１４６（１２）：８５７−６７；Ｇｏ  ＡＳ  ｅｔ  ａｌ  ＪＡＭＡ  ２００１；２８５（１８）：２３７０−５）。心房細動は、不規則な心臓の拍動を特徴とし、短時間の異常な拍動から始まることが多く、時間の経過とともに増加し、恒久性の状態となる可能性がある。米国では推定２７０〜６１０万人が心房細動を発症し、全世界で約３３００万人が心房細動を発症している（Ｃｈｕｇｈ  Ｓ．Ｓ．ｅｔ  ａｌ．，Ｃｉｒｃｕｌａｔｉｏｎ  ２０１４；１２９：８３７−４７）。
【０００４】
心房細動のリスクが最も高いＡＦ患者を評価することは、重要であり、ひいては脳卒中のリスクを軽減するために強化抗凝固療法から恩恵を受ける可能性がある（Ｈｉｊａｚｉ  ｅｔ  ａｌ．，Ｅｕｒｏｐｅａｎ  Ｈｅａｒｔ  Ｊｏｕｒｎａｌ  ｄｏｉ：１０．１０９３／ｅｕｒｈｅａｒｔｊ／ｅｈｗ０５４．２０１６）。
【０００５】
ＣＨＡＤＳ２、ＣＨＡ２ＤＳ２−ＶＡＳｃスコア、およびＡＢＣスコアは、心房細動患者の脳卒中のリスクを推定するための臨床的予測ルールである。これらのスコアは、抗凝固療法による治療が必要かどうかを評価するために使用される。ＡＢＣ脳卒中スコアには、年齢、バイオマーカー（Ｎ末端断片Ｂ型ナトリウム利尿ペプチドおよび高感度の心筋トロポニン）、および病歴（過去の脳卒中）が含まれている（Ｏｌｄｇｒｅｎ  ｅｔ  ａｌ．，Ｃｉｒｃｕｌａｔｉｏｎ．２０１６；１３４：１６９７−１７０７を参照のこと）。
【０００６】
アンジオポエチンは、血管新生に関与する糖タンパク質である。これらはまた、健康な組織において発現されるため、既存の血管を安定させ、内皮細胞と周囲の血管平滑筋細胞との間の相互作用を調節するものである（Ｗｏｎｇ  ＡＬ，ｅｔ  ａｌ．Ｃｉｒｃ  Ｒｅｓ．１９９７；８１：５６７−７４）。アンジオポエチン−１（Ａｎｇ−１）からアンジオポエチン−４（Ａｎｇ−４）までの４種のアンジオポエチンが知られている。ヒトアンジオポエチン−２（Ａｎｇ−２）は、例えばＭａｉｓｏｎｐｉｅｒｒｅ  ＰＣ  ｅｔ  ａｌ．（Ｓｃｉｅｎｃｅ  ２７７（１９９７）５５−６０  ａｎｄ  Ｃｈｅｕｎｇ，Ａ．Ｈ．，ｅｔ  ａｌ，Ｇｅｎｏｍｉｃｓ  ４８（１９９８）３８９−９１）に記載されており、また、アンジオポエチンファミリーの４種の要素の１つである。Ａｎｇ−２は、血管内皮内で選択的に発現するチロシンキナーゼのファミリーであるＴｉｅのリガンドとして発見された（Ｙａｎｃｏｐｏｕｌｏｓ，Ｇ．Ｄ．，ｅｔ  ａｌ．，Ｎａｔｕｒｅ  ４０７（２０００）２４２−４８）。
【０００７】
Ａｎｇ−１は、内皮細胞に特異的なＴｉｅ２受容体チロシンキナーゼの作用物質であり、血管新生促進作用を有するが、Ａｎｇ−２は、血管形成を阻害し、Ｔｉｅ−２受容体を介した拮抗シグナル伝達作用を有することがわかった（Ｍａｉｓｏｎｐｉｅｒｒｅ  ＰＣ  ｅｔ  ａｌ．，Ｓｃｉｅｎｃｅ  １９９７；２７７：５５−６０）。
【０００８】
アンジオポエチン−２（Ａｎｇ−２）は、内皮的完全性を損なうことが知られており、心不全で上昇したことが示された（例えば、Ｐｏｓｓ  ｅｔ  ａｌ．Ａｎｇｉｏｐｏｉｅｔｉｎ−２  ａｎｄ  ｏｕｔｃｏｍｅ  ｉｎ  ｐａｔｉｅｎｔｓ  ｗｉｔｈ  ａｃｕｔｅ  ｄｅｃｏｍｐｅｎｓａｔｅｄ  ｈｅａｒｔ  ｆａｉｌｕｒｅ．Ｃｌｉｎ  Ｒｅｓ  Ｃａｒｄｉｏｌ．Ｍａｙ  ２０１５；１０４（５）：３８０−３８７、またはＬｕｋａｓｚ  ｅｔ  ａｌ．Ａｎｇｉｏｐｏｉｅｔｉｎ−２  ｉｎ  ａｄｕｌｔｓ  ｗｉｔｈ  ｃｏｎｇｅｎｉｔａｌ  ｈｅａｒｔ  ｄｉｓｅａｓｅ  ａｎｄ  ｈｅａｒｔ  ｆａｉｌｕｒｅ．ＰＬｏＳ  Ｏｎｅ．２０１３；８（６）：ｅ６６８６１を参照のこと）。
【０００９】
Ａｎｇ−２は、心房細動の患者において上昇することがわかっている（Ｆｒｅｅｓｔｏｎｅ  ｅｔ  ａｌ．，Ａｎｇｉｏｇｅｎｉｃ  ｆａｃｔｏｒｓ  ｉｎ  ａｔｒｉａｌ  ｆｉｂｒｉｌｌａｔｉｏｎ：ａ  ｐｏｓｓｉｂｌｅ  ｒｏｌｅ  ｉｎ  ｔｈｒｏｍｂｏｇｅｎｅｓｉｓ？Ａｎｎ  Ｍｅｄ  ２００５；３７：３６５−７２またはＣｈｏｕｄｈｕｒｙ  ｅｔ  ａｌ．，Ｒｅｌａｔｉｏｎｓｈｉｐ  ｏｆ  Ｓｏｌｕｂｌｅ  ＣＤ４０  Ｌｉｇａｎｄ  ｔｏ  Ｖａｓｃｕｌａｒ  Ｅｎｄｏｔｈｅｌｉａｌ  Ｇｒｏｗｔｈ  Ｆａｃｔｏｒ，Ａｎｇｉｏｐｏｉｅｔｉｎｓ、およびＴｉｓｓｕｅ  Ｆａｃｔｏｒ  ｉｎ  ａｔｒｉａｌ  ｆｉｂｒｉｌｌａｔｉｏｎ，ＣＨＥＳＴ  ２００７；１３２：１９１３−１９１９）。
【００１０】
国際特許出願ＰＣＴ／ＥＰ２０１７／０６４９７０は、心房細動の再発予測にＡｎｇ−２およびＩＧＦＢ７が使用できることについて開示している。
【００１１】
国際公開第２０１４／０７２５００号パンフレットは、心房細動の診断のバイオマーカーとしてＩＧＰＢＰ７を開示している。
【００１２】
国際公開第２０１４／０４０７５９号パンフレットは、心血管イベントおよび死亡率の予測因子としてＩＧＦＢＰ７を開示している。さらに、心血管イベントのリスクがある駆出が減少した心不全患者では、ＩＧＦＢＰ−７が上昇することがわかっている（Ｇｈａｎｄｉ  ｅｔ  ａｌ．，Ａｍ  Ｊ  Ｃａｒｄｉｏｌ  ２０１４；１１４：１５４３ｅ１５４９）。ＩＧＦＢＰ−７レベルは、総死亡率、心血管系入院、およびＨＦ入院またはＨＦ死の複合に関して、ＨＦｐＥＦ患者の予後徴候であることがわかった（Ｇｈａｎｄｉ  ｅｔ  ａｌ。Ｊ  Ｃａｒｄｉａｃ  Ｆａｉｌｕｒｅ  ２０１７）。主な転帰は、総死亡率とプロトコル指定の心血管系入院の複合であり、その入院は、ＨＦ、心筋梗塞、脳卒中、不安定狭心症、心室性または心房性の不整脈、または入院時に生じた心筋梗塞または脳卒中の悪化に対する入院として定義された。ただし、ＩＧＦＢＰ−７レベルのデータは、転帰脳卒中と関連して表示されない。
【００１３】
脳卒中の予測と予防薬の選択は、満たされていない重要な臨床的ニーズである。
【００１４】
これまで、心房細動をすでに患っている患者の脳卒中を予測するためにＩＧＦＢＰ７とＡｎｇ−２は使用されていなかった。
【００１５】
本発明の根底にある技術的な課題は、上述のニーズに対応する方法の提供としてとらえることができる。この技術的な課題は、以下の特許請求の範囲および本明細書において特徴付けられる実施形態によって、解決される。
【００１６】
有利には、被検者からのサンプル中のＡｎｇ−２および／またはＩＧＦＢＰ７の量を決定することで、脳卒中予測が可能であるという本発明の研究との関連において発見された。
【発明の概要】
【課題を解決するための手段】
【００１７】
被検者の脳卒中のリスクを予測する方法であって、
（ａ）上記被検者からのサンプル中のアンジオポエチン−２（Ａｎｇ−２）の量および／またはインスリン様増殖因子結合タンパク質７（ＩＧＦＢＰ７）の量を決定するステップ、ならびに
（ｂ）基準量とＡｎｇ−２の量および／またはＩＧＦＢＰ７の量を比較し、それによって脳卒中のリスクが予測されるステップ、
を含む、方法。
【００１８】
本発明の方法の一実施形態では、上記被検者は、心房細動を患う。
【００１９】
本発明の方法の一実施形態では、上記心房細動は、発作性、持続性または恒久性の心房細動である。
【００２０】
本発明の方法の一実施形態では、上記被検者は、脳卒中またはＴＩＡ（一過性虚血発作）の病歴を有する。
【００２１】
本発明の方法の一実施形態では、上記被検者の年齢は、６５歳以上である。さらに、上記被検者の年齢は、５５歳以上であってもよい。
【００２２】
本発明の方法の一実施形態では、上記被検者は、抗凝固療法を受ける。
【００２３】
本発明の方法の一実施形態では、脳卒中は、心塞栓性脳卒中である。
【００２４】
本発明の方法の一実施形態では、上記被検者は、ヒトである。
【００２５】
本発明の方法の一実施形態では、上記サンプルは、血液、血清または血漿である。
【００２６】
本発明の方法の態様において、上記基準量と比較して、Ａｎｇ−２および／もしくはＩＧＦＢＰ７の量が増加する場合は、脳卒中を患うリスクがある被検者を示唆する、ならびに／または、上記基準量と比較して、Ａｎｇ−２および／もしくはＩＧＦＢＰ７の量が減少するもしくは変化しない場合は、脳卒中を患うリスクがない被検者を示唆する。
【００２７】
本発明の方法の一実施形態では、予測ウィンドウは、最大１０年の期間である。
【００２８】
本発明の方法の一実施形態では、予測ウィンドウは、約５年の期間である。
【００２９】
本発明の方法の特定の好ましい一実施形態では、予測ウィンドウは、最大３年の期間である。
【００３０】
本発明の方法の一実施形態では、方法は、被検者が脳卒中を患うリスクがあると特定された場合、抗凝固療法を推奨するか、または抗凝固療法の強化を推奨するステップをさらに含む。
【００３１】
本発明はさらに、被検者の脳卒中のリスクを予測する方法であって、
ａ）既知の臨床的脳卒中リスクスコアを有する上記被検者からのサンプルにおいて、Ａｎｇ−２の量および／またはインスリン様増殖因子結合タンパク質７（ＩＧＦＢＰ７）の量を決定するステップ、
ｂ）上記被検者の上記臨床的脳卒中リスクスコアを評価するステップ、ならびに
ｃ）ステップａ）およびｂ）の結果に基づいて、脳卒中の上記リスクを予測するステップ
を含む、方法に関する。
【００３２】
本発明はさらに、被検者の臨床的脳卒中リスクスコアの予測精度を改善する方法であって、
ａ）既知の臨床的脳卒中リスクスコアを有する上記被検者からのサンプルにおいて、Ａｎｇ−２の量および／またはインスリン様増殖因子結合タンパク質７（ＩＧＦＢＰ７）の量を決定するステップ、ならびに
ｂ）Ａｎｇ−２および／またはＩＧＦＢＰ−７の量の値を上記臨床的脳卒中リスクスコアと組み合わせ、それによって、上記臨床的脳卒中リスクスコアの予測精度が改善されるステップ、
を含む、方法に関する。
【００３３】
上述の方法の実施形態では、上記方法は、上記被検者の臨床リスクスコアの評価をさらに含む。
【００３４】
本発明の一実施形態では、上記臨床的脳卒中リスクスコアは、ＣＨＡ２ＤＳ２−ＶＡＳｃスコア、ＣＨＡＤＳ２スコアまたはＡＢＣスコアである。
【００３５】
本発明はさらに、被検者の脳卒中のリスクを予測するための、前記被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用、に関する。
【００３６】
本発明はさらに、臨床的脳卒中リスクスコアの予測精度を改善するための、被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用、に関する。
【００３７】
本発明はさらに、被検者が脳卒中を患うリスクを予測するための、臨床的脳卒中リスクスコアと組み合わされた、被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用、に関する。
【００３８】
一実施形態では、ＩＧＦＢＰ７に特異的に結合する検出剤は、ＩＧＦＢＰ７に特異的に結合する抗体またはその抗原結合断片である。
【００３９】
一実施形態では、Ａｎｇ−２に特異的に結合する検出剤は、Ａｎｇ−２に特異的に結合する抗体またはその抗原結合断片である。
【発明を実施するための形態】
【００４０】
上記のように、本発明は、被検者の脳卒中のリスクを予測する方法であって、
（ａ）上記被検者からのサンプル中のアンジオポエチン−２（Ａｎｇ−２）の量および／またはインスリン様増殖因子結合タンパク質７（ＩＧＦＢＰ７）の量を決定するステップ、ならびに
（ｂ）基準量とＡｎｇ−２の量および／またはＩＧＦＢＰ７の量を比較し、それによって脳卒中のリスクが予測されるステップ、
を含む、方法に関する。
【００４１】
脳卒中の予測は、上記比較ステップ（ｂ）の結果に基づくものとする。
【００４２】
したがって、本発明の方法は、好ましくは、
ａ）被検者からのサンプルにおいて、アンジオポエチン−２（Ａｎｇ−２）の量および／またはインスリン様増殖因子結合タンパク質７（ＩＧＦＢＰ７）の量を決定するステップ、
ｂ）基準量とＡｎｇ−２および／またはＩＧＦＢＰ７の量を比較し、それによって脳卒中のリスクが予測されるステップ、ならびに
ｃ）好ましくはステップｂ）の結果に基づいて、被検者における脳卒中のリスクを予測するステップ、
を含む、方法である。
【００４３】
本発明によって言及される方法は、本質的に上述のステップからなる方法、またはさらなるステップを含む方法、を含む。さらに、本発明の方法は、好ましくは、エクスビボ、より好ましくはインビトロの方法である。さらに、それは、上記で明示的に述べられたものに加えて、ステップを含んでもよい。例えば、さらなるステップは、さらにマーカーを決定したり、および／または治療前のサンプルを採取したり、その方法で得られた結果を評価したりし得る。この方法は、手動で実行しても、自動化によって支援してもよい。好ましくは、ステップ（ａ）、（ｂ）および／または（ｃ）は、全体的または部分的に、自動化によって、例えば、ステップ（ａ）における決定またはステップ（ｂ）におけるコンピュータを実装した計算のため、適切なロボットおよび感覚的機器によって、支援されてもよい。
【００４４】
当業者によって理解されるように、本発明に関連して行われる予測は、通常、試験される被検者の１００％について正しいことを意図していない。この用語は、好ましくは、被検者の統計的に有意な部分に対して、正しい評価（例えば、本明細書でいう治療の診断、区別、予測、識別、または評価）を行うことができること、を必要とする。部分が統計的に有意であるかどうかは、信頼区間の決定、ｐ値の決定、スチューデントのｔ検定、マン−ホイットニー検定などのさまざまな周知の統計評価ツールを使用して、当業者がすぐさま決定することができる。詳細は、Ｄｏｗｄｙ  ａｎｄ  Ｗｅａｒｄｅｎ，Ｓｔａｔｉｓｔｉｃｓ  ｆｏｒ  Ｒｅｓｅａｒｃｈ，Ｊｏｈｎ  Ｗｉｌｅｙ＆Ｓｏｎｓ，Ｎｅｗ  Ｙｏｒｋ  １９８３に記載されている。好ましい信頼区間は、少なくとも９０％、少なくとも９５％、少なくとも９７％、少なくとも９８％、または少なくとも９９％である。ｐ値は、好ましくは、０．４、０．１、０．０５、０．０１、０．００５、または０．０００１である。
【００４５】
本発明の方法によれば、脳卒中のリスクが予測されるものとする。「脳卒中」という用語は、当該技術分野において周知である。この用語は、好ましくは、虚血性脳卒中、特に脳虚血性脳卒中を指す。本発明の方法によって予測される脳卒中は、脳細胞への酸素の供給不足をもたらす脳またはその部分への血流の減少によって、引き起こされるものとする。特に、脳卒中は、脳細胞死によって、不可逆的な組織損傷をもたらす。脳卒中の症状は、当該技術分野において周知である。虚血性脳卒中は、主要な大脳動脈のアテローム血栓症または塞栓症によって、凝固障害または非アテローム性血管疾患によって、または全体的な血流の減少につながる心虚血によって引き起こされる可能性がある。上記虚血性脳卒中は、アテローム血栓性脳卒中、心塞栓性脳卒中および小窩性卒中からなる群から選択されることが好ましい。好ましくは、予測される脳卒中は、急性虚血性脳卒中、特に心塞栓性脳卒中である。心塞栓性脳卒中（しばしば塞栓性または血栓塞栓性脳卒中とも呼ばれる）は、心房細動によって引き起こされ得る。
【００４６】
「脳卒中」という用語は、好ましくは、出血性脳卒中を含まない。被検者が、脳卒中、特に虚血性脳卒中を患うかどうかは、周知の方法によって判定することができる。さらに、脳卒中の症状は、当該技術分野において周知である。例えば、脳卒中の症状としては、顔、腕、脚、特に体の片側の突然のしびれや脱力、突然の混乱、会話や理解の障害、片目または両目の突然の見えづらさ、突然の歩行困難、めまい、バランスまたは調整の喪失などが挙げられる。
【００４７】
さまざまな疾患や障害において、バイオマーカーが増加し得ることは、当該技術分野において公知である。これは、Ａｎｇ−２とＩＧＦＢＰ７にも当てはまる。例えば、心不全患者ではＩＧＦＢＰ７が増加することが知られている。しかしながら、これは当業者により考慮される。したがって、「脳卒中のリスク予測」という表現は、心房細動に関連する有害事象のリスクを予測するのに役立つ。
【００４８】
本明細書でいう「被検者」は、好ましくは哺乳動物である。哺乳動物としては、限定されないが、家畜動物（例えば、ウシ、ヒツジ、ネコ、イヌおよびウマ）、霊長類（例えば、ヒトおよびサルなどの非ヒト霊長類）、ウサギ、げっ歯類（例えば、マウスおよびラット）が挙げられる。好ましくは、被検者は、ヒト被検者である。
【００４９】
好ましくは、試験される被検者は、任意の年齢であり、より好ましくは、試験される被検者は、５０歳以上、より好ましくは６０歳以上、最も好ましくは６５歳以上である。さらに、試験される被検者は、７０歳以上であることが想定される。加えて、試験される被検者は、７５歳以上であることが想定される。また、被検者は、５０歳から９０歳の間であってよい。
【００５０】
さらに、上記被検者の年齢は、５５歳以上であってもよい。
【００５１】
本発明の方法の好ましい一実施形態では、試験される被検者は、心房細動を患う。心房細動は、発作性、持続性、または恒久性の心房細動であってもよい。したがって、被検者は、発作性、持続性または恒久性の心房細動を患ってもよい。特に、被検者は、発作性、持続性、または恒久性の心房細動を患うことが想定される。本発明の基礎となる研究において、本明細書でいうバイオマーカーの決定により、すべてのサブグループにおける脳卒中の予測が可能になることが示される。ベストパフォーマンスは、持続性および恒久性の心房細動の患者で観察された。
【００５２】
したがって、本発明の方法の一実施形態では、被検者は、発作性心房細動を患う。
【００５３】
本発明の別の実施形態では、被検者は、持続性心房細動を患う。
【００５４】
本発明の別の実施形態では、被検者は、恒久性心房細動を患う。
【００５５】
「心房細動」という用語は、当該技術分野において周知である。本明細書で使用される場合、この用語は、好ましくは、心房の機械的機能の結果としての悪化を伴う、非協調的な心房活動を特徴とする上室性頻拍性不整脈を指す。特に、この用語は、急速で不規則な鼓動を特徴とする異常な心臓のリズムを指す。それは、心臓の２つの上部房と関連する。正常な心臓のリズムでは、洞房結節によって生成されたインパルスが心臓全体に広がり、心筋の収縮と血液のポンピングを引き起こす。心房細動では、洞房結節の規則的な電気インパルスが、不規則な心拍を引き起こす、無秩序で急速な電気インパルスに置き換えられる。心房細動の症状は、心臓の動悸、失神、息切れ、または胸痛である。ただし、ほとんどのエピソードには症状がない。心電図では、心房細動は、振幅、形状、およびタイミングが変化する急速な振動または細動波による均一なＰ波の置換を特徴とし、心房室伝導が正常な場合に、不規則に頻繁に心室応答が速くなることに関連する。
【００５６】
Ｔｈｅ  Ａｍｅｒｉｃａｎ  Ｃｏｌｌｅｇｅ  ｏｆ  Ｃａｒｄｉｏｌｏｇｙ（ＡＣＣ）、Ａｍｅｒｉｃａｎ  Ｈｅａｒｔ  Ａｓｓｏｃｉａｔｉｏｎ（ＡＨＡ）、およびｔｈｅ  Ｅｕｒｏｐｅａｎ  Ｓｏｃｉｅｔｙ  ｏｆ  Ｃａｒｄｉｏｌｏｇｙ（ＥＳＣ）は、次の分類システムを提案する。（これとともに、その全体が参考として組み込まれるＦｕｓｔｅｒ（２００６）Ｃｉｒｃｕｌａｔｉｏｎ  １１４（７）：ｅ２５７−３５４を参照のこと、例えば、書類中図３を参照のこと）：最初に検出されたＡＦ、発作性ＡＦ、持続性ＡＦ、および恒久性ＡＦ。
【００５７】
ＡＦがあるすべての人々は、病初では、最初に検出されたＡＦと呼ばれるカテゴリに属する。ただし、被検者は、以前に検出されなかったエピソードを持っている場合と持っていない場合があってもよい。ＡＦが１年以上持続した場合、被検者は恒久性ＡＦを患う。特に、洞調律へ戻る変換は、行われない（または医学的介入によってのみ）。ＡＦが７日を超えて続く場合、被検者は持続性ＡＦを患う。被検者が、心房細動を止めるには、薬理学的または電気的な介入が必要な場合がある。したがって、持続性ＡＦはエピソードで発生するが、不整脈は、通常自発的に（つまり、医学的介入なしで）洞調律へ戻る変換はされない。発作性心房細動とは、好ましくは、心房細動の断続的なエピソードを指し、７日以上持続せずに、自然に（すなわち、医学的介入なしで）終了する心房細動である。発作性ＡＦのほとんどの場合、エピソードが続くのは、２４時間未満である。したがって、発作性心房細動は自然に終了するが、持続性心房細動は自然には終了せず、止めるために電気的または薬理的心臓除細動、またはアブレーション処置（Ｆｕｓｔｅｒ（２００６）Ｃｉｒｃｕｌａｔｉｏｎ  １１４（７）：ｅ２５７−３５４）などの他の処置が必要である。「発作性心房細動」という用語は、４８時間未満、より好ましくは２４時間未満、最も好ましくは１２時間未満で自然に終了するＡＦのエピソードとして定義される。持続性ＡＦと発作性ＡＦのどちらも再発する可能性がある。
【００５８】
上記のように、試験される被検者は、発作性、持続性または恒久性の心房細動を患うことが好ましい。
【００５９】
さらに、サンプルを採取する際に、その時点で被検者が心房細動のエピソードを患うことが想定される。これは、例えば、被検者が恒久性または持続性ＡＦを患う場合である。
【００６０】
または、サンプルを採取する際に、その時点で被検者が心房細動のエピソードを患わないことが想定される。これは、例えば、被検者が発作性ＡＦを患う場合である。したがって、被検者は、サンプルを採取する際に、正常洞調律を有するものとする、すなわち洞調律にあるものとする。
【００６１】
さらに、心房細動は、被検者において以前に診断されていると考えられる。したがって、心房細動は、診断された、すなわち検出された心房細動である。
【００６２】
実施例に示すように、心不全の患者ではリスクの予測が可能である。したがって、試験される被検者は、心不全を患ってもよい。本発明の方法による「心不全」という用語は、好ましくは、左心室駆出率が減少した心不全に関する。
【００６３】
さらに、心不全の病歴がない被検者では、リスクの予測が可能であることが示される。したがって、試験される被検者は、好ましくは心不全を患わない。特に、試験される被検者は、ＮＹＨＡクラスＩＩ、ＩＩＩ、およびＩＶにかかる心不全を患わない。
【００６４】
本発明の一実施形態では、被検者は、左室駆出率を維持した心不全を患わない。
【００６５】
特に好ましい実施形態では、被検者は、心不全を患わないが、心房細動を患う。
【００６６】
有利なことに、本発明の方法の基礎となる研究では、被検者が抗凝固療法、すなわち脳卒中のリスクを減らすことを目的とした治療を受けていても、信頼性の高い予測が可能であることが示されている。（治療を受けた患者の約７０％は、経口抗凝固薬と、約３０％のビタミンＫ拮抗薬、例えばワルファリンやジクマロールが、投与された）。驚くべきことに、ＩＧＦＢＰ７および／またはＡｎｇ−２の量を決定することで、集団またはリスク患者（すなわち、抗凝固療法を受けている心房細動の患者）内で区別できることが示されており、脳卒中のリスク低下とリスク上昇を確実に区別できることが示されている。脳卒中のリスクが増加したＡＦ患者には、抗凝固療法の強化が効果的である可能性がある。さらに、脳卒中のリスクが低下したＡＦ患者は、過剰治療される可能性があり、そうすると強度の低い抗凝固療法が効果的である可能性がある。（その結果、例えば、医療費の削減につながる）。
【００６７】
このように、本発明によれば、被検者は抗凝固療法を受けることが好ましい。
【００６８】
上記のように、抗凝固療法は、好ましくは、上記被検者における抗凝固のリスクを低減することを目的とする療法である。より好ましくは、抗凝固療法は、少なくとも１種の抗凝固剤の投与である。少なくとも１種の抗凝固剤を投与することは、血液の凝固および関連する脳卒中を抑制または防止することを目的とする。好ましい一実施形態では、少なくとも１種の抗凝固剤は、ヘパリン、クマリン誘導体（すなわち、ビタミンＫ拮抗薬）、特にワルファリンまたはジクマロール、経口抗凝固剤、特にダビガトラン、リバーロキサバンまたはアピキサバン、組織因子経路阻害剤（ＴＦＰＩ）、アンチトロンビンＩＩＩ、第ＩＸａ因子阻害剤、第Ｘａ因子阻害剤、第Ｖａ因子と第ＶＩＩＩａ因子の阻害剤、およびトロンビン阻害剤（抗ＩＩａ型）からなる群から選択される。したがって、被検者は上記の少なくともいずれか１種の薬剤を服用することが想定される。
【００６９】
好ましい実施形態では、上記抗凝固剤は、ワルファリンまたはジクマロールなどのビタミンＫ拮抗薬である。ワルファリンやジクマロールなどのビタミンＫ拮抗薬は、安価だが、不便で扱いにくく、また治療範囲において時間変動を伴う信頼性の低い治療が多いため、患者のコンプライアンスを向上する必要がある。ＮＯＡＣ（新しい経口抗凝固剤）は、直接第Ｘａ因子阻害剤（アピキサバン、リバーロキサバン、ダレキサバン、エドキサバン）、直接トロンビン阻害剤（ダビガトラン）およびＰＡＲ−１拮抗薬（ボラパクサル、アトパキサール）を含む。
【００７０】
別の好ましい実施形態では、抗凝固剤および経口抗凝固剤、特にアピキサバン、リバーロキサバン、ダレキサバン、エドキサバン、ダビガトラン、ボラパクサル、またはアトパキサール。
【００７１】
したがって、試験される被検者は、試験時（すなわち、サンプルを受け取る時）に、経口抗凝固剤またはビタミンＫ拮抗薬による治療を受けている可能性がある。
【００７２】
好ましい一実施形態では、被検者の脳卒中のリスクを予測する方法は、上記被検者が脳卒中を患うリスクがあると特定された場合に、抗凝固療法を推奨するステップまたは抗凝固療法の強化を推奨するステップをさらに含む。好ましい一実施形態では、被検者の脳卒中のリスクを予測する方法は、被検者が脳卒中を患うリスクがあると特定された場合、ｉ）抗凝固療法を開始するステップ、またはｉｉ）抗凝固療法を強化するステップをさらに含む。
【００７３】
本明細書で使用される「推奨する」という用語は、被検者に適用できる治療法の提案を確立することを意味する。しかしながら、実際の治療を適用することは、どんなものであれ、この用語に含まれないことを理解されたい。推奨される治療は、本発明の方法によって提供される結果に依存する。
【００７４】
特に、以下が適用される。
【００７５】
試験される被検者が抗凝固療法を受けていない場合、被検者が脳卒中を患うリスクがあると特定されていれば、抗凝固療法の開始が推奨される。したがって、抗凝固療法を開始するものとする。
【００７６】
試験される被検者がすでに抗凝固療法を受けている場合、被検者が脳卒中を患うリスクがあると特定されていれば、抗凝固療法の強化が推奨される。したがって、抗凝固療法を強化するものとする。
【００７７】
好ましい一実施形態では、抗凝固療法は、抗凝固剤の投与量、すなわち現在投与されている抗凝固剤の投与量を増やすことにより強化される。
【００７８】
特に好ましい一実施形態では、現在投与されている抗凝固剤のより効果的な抗凝固剤への置き換えを増やすことにより、抗凝固療法が強化される。したがって、抗凝固剤の置き換えが推奨される。
【００７９】
Ｈｉｊａｚｉ  ｅｔ  ａｌ，２０１６，図４に示されているように、高リスク患者のより良い予防は、ビタミンＫ拮抗薬ワルファリンと比較して経口抗凝固剤アピキサバンで達成されることが記載されている。
【００８０】
したがって、試験される被検者は、ワルファリンまたはジクマロールなどのビタミンＫ拮抗薬で治療される被検者であることが想定される。被検者が脳卒中を患うリスクがあると（本発明の方法により）特定された場合、ビタミンＫ拮抗薬を経口抗凝固剤、特にダビガトラン、リバーロキサバンまたはアピキサバンによる置き換えが推奨される。ビタミンＫ拮抗薬による治療が中止されることにより、経口抗凝固薬による治療が開始される。
【００８１】
本発明の方法の好ましい一実施形態では、被検者は、脳卒中またはＴＩＡ（一過性脳虚血発作）の病歴を有する。特に、被検者は脳卒中の病歴を有する。
【００８２】
したがって、この被検者は、本発明の方法を実施する前に（または、もっと正確に言うと、試験されるサンプルを採取する前に）、脳卒中またはＴＩＡを患っていたことが想定される。被検者は、過去に脳卒中またはＴＩＡを患っていたことがあるものとするが、被検者は、試験されるサンプルを採取する時点では、脳卒中およびＴＩＡを患わないものとする）。
【００８３】
上記のように、バイオマーカーのＡｎｇ−２およびＩＧＦＢＰ７は、心房細動以外のさまざまな疾患や障害において、増加する可能性がある。本発明の一実施形態では、被検者がこのような病気や障害を患わないことが想定される。
【００８４】
本発明の方法は、より多くの集団の被検者のスクリーニングにも使用できる。したがって、脳卒中のリスクに関して、少なくとも１００人の被検者、特に少なくとも１０００人の被検者が評価されることが想定される。したがって、バイオマーカーの量は、被検者の少なくとも１００人から、または特に１０００人以上からのサンプルにおいて、判定される。さらに、少なくとも１万人の被検者が評価されることが想定される。
【００８５】
「サンプル」という用語は、体液のサンプル、分離された細胞のサンプル、または組織や臓器からのサンプルを指す。体液のサンプルは、周知の技術によって採取することができ、また血液、血漿、血清、尿、リンパ液、痰、腹水、またはその他の体分泌物もしくはその誘導体のサンプルが含まれる。組織または臓器のサンプルは、例えば生検によって、任意の組織または臓器から採取してもよい。分離された細胞は、体液または組織もしくは器官から、遠心分離または細胞選別などの分離技術によって、採取してもよい。例えば、バイオマーカーを発現または生成する細胞、組織、臓器から、細胞、組織、臓器のサンプルを採取してもよい。サンプルは、凍結、新鮮、固定（例えばホルマリン固定）、遠心分離、および／または包埋（例えばパラフィン包埋）などをされてもよい。もちろん、細胞サンプルは、サンプル中のバイオマーカーの量を評価する前に、さまざまな周知の収集後の分取および保管技術（例えば、核酸および／またはタンパク質の抽出、固定、保管、凍結、限外濾過、濃縮、蒸発、遠心分離など）を実施され得る。
【００８６】
本発明の好ましい一実施形態では、サンプルは、血液（すなわち、全血）、血清または血漿サンプルである。血清とは、血液が血餅になった後に採取される全血の液体分画のことである。血清を採取するためには、遠心分離によって血餅を除去して、それから上清が収集される。血漿は、血の無細胞流動部分である。血漿サンプルを得るために、全血は、抗凝固剤処理されたチューブ（例えば、クエン酸塩処理またはＥＤＴＡ処理されたチューブ）で収集される。遠心分離により細胞をサンプルから除去し、それから上清（すなわち、血漿サンプル）を採取する。
【００８７】
好ましくは、本明細書で使用される「リスクを予測する」という用語は、被検者が脳卒中を患うであろう確率を評価することを指す。通常は、被検者が脳卒中を患うリスクがある（また、それ故にリスクが高い）か、リスクがない（また、それ故にリスクが低い）かどうかが予測される。したがって、本発明の方法は、脳卒中のリスクがある被検者と脳卒中のリスクがない被検者とを区別することを可能にする。さらに、本発明の方法は、脳卒中のリスクが低い、平均、および高い、の区別を可能にすることが想定される。
【００８８】
上記のように、特定の時間枠内に脳卒中を患うリスク（および確率）が予測されるものとする。本発明によれば、短期リスクまたは長期リスクが予測されることが想定される。例えば、１週間以内または１カ月以内に脳卒中を患うリスクが予測される。本発明の基礎となる研究で観察された最短期間は１１日間であった。被検者は、Ａｎｇ−２（１４，５７ｎｇ／ｍｌ）およびＩＧＦＢ７（３１８ｎｇ／ｍｌ）のレベルが上昇した。
これは、長期的な予測だけでなく、短期的な予測も可能であることを示すものである。
【００８９】
本発明の一実施形態では、予測ウィンドウは、少なくとも約３カ月、少なくとも約６カ月、または少なくとも約１年の期間である。別の好ましい一実施形態では、予測ウィンドウは、約５年の期間である。さらに、予測ウィンドウは、約６年の期間であってもよい（例えば、脳卒中の予測において）。
【００９０】
一実施形態では、予測ウィンドウは、最大１０年の期間である。したがって、１０年以内に脳卒中を患うリスクが予測される。
【００９１】
別の実施形態では、予測ウィンドウは、最大７年の期間である。したがって、７年以内に脳卒中を患うリスクが予測される。
【００９２】
別の実施形態では、予測ウィンドウは、最大３年の期間である。したがって、３年以内に脳卒中を患うリスクが予測される。
【００９３】
また、予測ウィンドウは、１〜１０年の期間であることが想定される。
【００９４】
好ましくは、予測ウィンドウは、本発明の方法の完了から計算される。より好ましくは、上記予測ウィンドウは、試験されるサンプルが採取された時点から計算される。
【００９５】
上記のように、「脳卒中のリスクを予測する」という表現は、本発明の方法によって分析される被検者が、脳卒中を患うリスクがある被検者のグループ、または脳卒中のリスクがない被検者のグループのいずれかに割り当てられることを意味する。このように、脳卒中を患うリスクがあるか否かが予測される。本明細書で使用される「脳卒中を患うリスクがある被検者」は、好ましくは脳卒中を患うリスクが高い（好ましくは、予測ウィンドウ内）。好ましくは、上記リスクは、被検者のコホートにおける平均リスクと比較して上昇する。本明細書で使用される場合、「脳卒中を患うリスクがない被検者」は、好ましくは、脳卒中を患うリスクが低い（好ましくは予測ウィンドウ内）。好ましくは、上記リスクは、被検者のコホートにおける平均リスクと比較して低下する。脳卒中を患うリスクがある被検者は、好ましくは５年の予測ウィンドウ内で、少なくとも７％、より好ましくは少なくとも１０％の脳卒中を患うリスクがある。脳卒中を患うリスクがない被検者は、好ましくは５年の予測ウィンドウ内で、好ましくは５％未満、より好ましくは３％未満の脳卒中を患うリスクがある。
【００９６】
バイオマーカーであるアンジオポエチン−２（「Ａｎｇ−２」と略され、しばしばＡＮＧＰＴ２とも呼ばれる）は、当該技術分野において周知である。これは、天然に存在するＡｎｇ−１とＴＩＥ２の両方に対する拮抗薬である（例えば、Ｍａｉｓｏｎｐｉｅｒｒｅ  ｅｔ  ａｌ．，Ｓｃｉｅｎｃｅ  ２７７（１９９７）５５−６０を参照のこと）。タンパク質は、ＡＮＧ−１の不存在下で、ＴＥＫ／ＴＩＥ２のチロシンのリン酸化を誘導できる。ＶＥＧＦなどの血管新生誘発物質が存在しない場合、ＡＮＧ２を介した細胞マトリックス接触の緩みにより、結果として生じる血管退縮を伴う内皮細胞アポトーシスが誘発されることがある。ＶＥＧＦと連携して、内皮細胞の遊走と増殖を促進することがあり、それ故に許容的な血管新生シグナルとして機能する。ヒトのアンジオポエチンの配列は、当該技術分野において周知である。Ｕｎｉｐｒｏｔは、アンジオポエチン−２の３つのアイソフォームを収載する：アイソフォーム１（Ｕｎｉｐｒｏｔ識別子：Ｏ１５１２３−１）、アイソフォーム２（識別子：Ｏ１５１２３−２）およびアイソフォーム３（Ｏ１５１２３−３）。好ましい一実施形態では、アンジオポエチン−２の総量が決定される。この総量は、好ましくは複合型および遊離型のアンジオポエチン−２の量の合計である。
【００９７】
ＩＧＦＢＰ−７（インスリン様増殖因子結合タンパク質７）は、内皮細胞、血管平滑筋細胞、線維芽細胞、上皮細胞から分泌されることが知られている３０ｋＤａのモジュラー糖タンパク質である（Ｏｎｏ，Ｙ．，ｅｔ  ａｌ、Ｂｉｏｃｈｅｍ  Ｂｉｏｐｈｙｓ  Ｒｅｓ  Ｃｏｍｍ  ２０２（１９９４）１４９０−１４９６）。好ましくは、「ＩＧＦＢＰ−７」という用語は、ヒトＩＧＦＢＰ−７を指す。タンパク質の配列は、当該技術分野で周知であり、例えば、ＵｎｉＰｒｏｔ（Ｑ１６２７０、ＩＢＰ７  ＨＵＭＡＮ）、またはＧｅｎＢａｎｋ（ＮＰ  ００１２４０７６４．１）を介してアクセスできる。バイオマーカーのＩＧＦＢＰ−７の詳細な定義は、例えば、国際公開第２００８／０８９９９４号パンフレットに提供されており、その全体が参照により本明細書に組み込まれる。ＩＧＦＢＰ−７には２つのアイソフォーム、アイソフォーム１および２があり、これらは選択的スプライシングによって生成される。本発明の一実施形態では、両方のアイソフォームの総量が測定される（配列については、ＵｎｉＰｒｏｔデータベースエントリ（Ｑ１６２７０−１およびＱ１６２７０−２）を参照のこと）。
【００９８】
明細書でいうバイオマーカー（Ａｎｇ−２もしくはＩＧＦＢＰ７、または両方のバイオマーカー）の量を「決定する」という用語は、バイオマーカーの定量化を指し、例えば、本明細書の他の箇所に記載されている適切な検出方法を使用して、サンプル中のバイオマーカーのレベルを測定することである。「測定する」および「決定する」という用語は、本明細書では互換的に使用される。
【００９９】
一実施形態では、バイオマーカーの量は、サンプルをバイオマーカーと特異的に結合する作用物質と接触させ、それにより作用物質と上記バイオマーカーとの間に複合体を形成し、形成された複合体の量を検出し、それから上記バイオマーカーの量を測定することにより、決定される。
【０１００】
本明細書でいうバイオマーカー（Ａｎｇ−２など）は、当該技術分野で一般的に知られている方法を使用して検出することができる。検出方法は、一般に、サンプル中のバイオマーカーの量を定量化する方法（定量的方法）を包含する。以下の方法のどれがバイオマーカーの定性的および／または定量的検出に適しているかは、当業者に一般に知られている。サンプルは、例えば、ウエスタン法およびＥＬＩＳＡ、ＲＩＡ、蛍光および発光ベースの免疫学的検定法のような免疫学的検定法、ならびに市販されている近接拡張アッセイを使用して、タンパク質について簡便にアッセイすることができる。バイオマーカーを検出するためのさらに適切な方法は、ペプチドまたはポリペプチドに特異的な物理的または化学的特性、例えば、その正確な分子量またはＮＭＲスペクトルなどを測定することを含む。上記方法は、例えば、バイオセンサー、免疫学的検定法と連結した光学装置、バイオチップ、分析装置、例えば質量分析計、ＮＭＲ分析器、またはクロマトグラフィー装置を含む。さらに、方法には、マイクロプレートＥＬＩＳＡベースの方法、完全自動化またはロボット免疫学的検定（Ｅｌｅｃｓｙｓ（商標）アナライザーなどで利用可能）、ＣＢＡ（酵素的Ｃｏｂａｌｔ  Ｂｉｎｄｉｎｇ  Ａｓｓａｙ、Ｒｏｃｈｅ−Ｈｉｔａｃｈｉ（商標）アナライザーなどで利用可能）、およびラテックス凝集アッセイ（例えば、Ｒｏｃｈｅ−Ｈｉｔａｃｈｉ（商標）アナライザーで使用可能）が含まれる。
【０１０１】
本明細書でいうバイオマーカータンパク質の検出については、そのようなアッセイ形式を使用する幅広い免疫学的測定技術が利用可能であり、例えば、米国特許第４，０１６，０４３号明細書、第４，４２４，２７９号明細書、および第４，０１８，６５３号明細書を参照されたい。これらは、従来の競合結合アッセイだけでなく、非競合タイプの１部位および２部位または「サンドイッチ」アッセイの両方を含む。これらのアッセイは、標識された抗体の標的バイオマーカーへの直接結合も含む。
【０１０２】
電気化学発光標識を用いる方法は、周知である。そのような方法は、特殊な金属錯体の能力を利用して、酸化によって、励起状態となり、そこから基底状態へ減衰して、電気化学発光の放出を得る。審査においては、Ｒｉｃｈｔｅｒ，Ｍ．Ｍ．，Ｃｈｅｍ．Ｒｅｖ．２００４；１０４：３００３−３０３６を参照のこと。
【０１０３】
一実施形態において、バイオマーカーの量を測定するのに使用される検出抗体（またはその抗原結合断片）は、ルテニウム化（ｒｕｔｈｅｎｙｌａｔｅｄ）またはイリジウム化（ｉｒｉｄｉｎｙｌａｔｅｄ）されている。したがって、抗体（またはその抗原結合断片）は、ルテニウム標識を含むものとする。一実施形態において、上記ルテニウム標識は、ビピリジン−ルテニウム（ＩＩ）錯体である。あるいは、抗体（またはその抗原結合断片）は、イリジウム標識を含むものとする。一実施形態において、上記イリジウム標識は、国際公開第２０１２／１０７４１９号パンフレットで開示される錯体である。
【０１０４】
Ａｎｇ−２の決定のためのサンドイッチアッセイの実施形態では、アッセイは、（捕捉抗体として）Ａｎｇ−２に特異的に結合するビオチン化された第１のモノクローナル抗体、および（検出抗体として）Ａｎｇ−２と特異的に結合するルテニウム化された第２のモノクローナルのＦ（ａｂ’）２−断片を含む。２種の抗体は、サンプル中、Ａｎｇ−２とサンドイッチ免疫学的測定複合体を形成する。
【０１０５】
ＩＧＦＢＰ７の決定のためのサンドイッチアッセイの実施形態では、アッセイは、（捕捉抗体として）ＩＧＦＢＰ７に特異的に結合するビオチン化された第１のモノクローナル抗体、および（検出抗体として）ＩＧＦＢＰ７と特異的に結合するルテニウム化された第２のモノクローナルのＦ（ａｂ’）２−断片を含む。２種の抗体は、サンプル中、ＩＧＦＢＰ７とサンドイッチ免疫学的測定複合体を形成する。
【０１０６】
ポリペプチド（例えば、Ａｎｇ−２またはＩＧＦＢＰ７）の量を測定することは、好ましくは、（ａ）ポリペプチドを上記ポリペプチドと特異的に結合する薬剤と接触させるステップ、（ｂ）（任意選択で）結合していない薬剤を除去するステップ、（ｃ）結合した結合剤、すなわちステップ（ａ）で形成された薬剤の複合体の量を測定するステップ、を含んでよい。好ましい実施形態によれば、上記接触させるステップ、除去するステップおよび測定するステップは、分析装置ユニットにより実施してもよい。一部の実施形態によれば、上記ステップは、上記システムの単一の分析装置ユニット、または互いに作動可能に連絡した２つ以上の分析装置ユニットにより実施してもよい。例えば、特定の実施形態によれば、本明細書で開示される上記システムは、上記接触させるステップおよび除去するステップを実施するための第１の分析装置ユニット、ならびに上記測定するステップを実施する、輸送ユニット（例えば、ロボットアーム）により、上記第１の分析装置ユニットに作動可能に接続された第２の分析装置ユニットを含んでよい。
【０１０７】
バイオマーカーと特異的に結合する薬剤（本明細書では「結合剤」とも呼ばれる）は、結合した薬剤の検出および測定を可能にする標識に、共有結合または非共有結合をしてよい。標識化は、直接または間接の方法により行ってもよい。直接標識化は、標識を結合剤に直接的に（共有結合または非共有結合により）結合させることによって行われる。間接標識化は、第２の結合剤を第１の結合剤に（共有結合または非共有結合により）結合させることによって行われる。第２の結合剤は、第１の結合剤に特異的に結合するものとする。上記第２の結合剤は、適切な標識と結合する、および／または第２の結合剤に結合する第３の結合剤の標的（受容体）となり得る。好適な第２の、およびより高次の結合剤は、抗体、二次抗体、および周知のストレプトアビジン−ビオチン系（Ｖｅｃｔｏｒ  Ｌａｂｏｒａｔｏｒｉｅｓ，Ｉｎｃ．）を含んでよい。結合剤または基質は、当該技術分野で公知の１つまたは複数のタグで「タグ付け」されていてもよい。そうすることで、このようなタグは、より高次の結合剤の標的となり得る。好適なタグとしては、ビオチン、ジゴキシゲニン（ｄｉｇｏｘｙｇｅｎｉｎ）、Ｈｉｓ−タグ、グルタチオン−Ｓ−トランスフェラーゼ、ＦＬＡＧ、ＧＦＰ、ｍｙｃ−タグ、インフルエンザＡウイルス赤血球凝集素（ＨＡ）、マルトース結合タンパク質などが挙げられる。ペプチドまたはポリペプチドの場合、タグは、好ましくはＮ末端および／またはＣ末端にある。好適な標識は、適切な検出方法で検出可能な任意の標識である。典型的な標識としては、金粒子、ラテックスビーズ、アクリダンエステル、ルミノール、ルテニウム錯体、イリジウム錯体、酵素的に活性な標識、放射性標識、磁気標識（「例えば磁気ビーズ」、常磁性および超常磁性標識を含む）、および蛍光標識が挙げられる。酵素的に活性な標識としては、例えば、西洋ワサビペルオキシダーゼ、アルカリホスファターゼ、βガラクトシダーゼ、ルシフェラーゼ、およびそれらの誘導体が挙げられる。検出のための好適な基質としては、ジアミノベンジジン（ＤＡＢ）、３，３’−５，５’−テトラメチルベンジジン、ＮＢＴ−ＢＣＩＰ（Ｒｏｃｈｅ  Ｄｉａｇｎｏｓｔｉｃｓから既成品の保存溶液として入手可能な４−ニトロブルーテトラゾリウム塩化物および５−ブロモ−４−クロロ−３−インドリル−リン酸塩）、ＣＤＰ−Ｓｔａｒ（商標）（Ａｍｅｒｓｈａｍ  Ｂｉｏ−ｓｃｉｅｎｃｅｓ）、ＥＣＦ（商標）（Ａｍｅｒｓｈａｍ  Ｂｉｏｓｃｉｅｎｃｅｓ）が挙げられる。適切な酵素−基質の組合せにより、着色された反応産物、蛍光または化学発光が生じてもよく、これは、当該技術分野で公知の方法に従って（例えば感光膜または適切なカメラシステムを使用して）、決定することができる。酵素反応を測定することについては、上記の基準が同様に適用される。典型的な蛍光標識としては、蛍光タンパク質（例えば、ＧＦＰおよびその誘導体）、Ｃｙ３、Ｃｙ５、テキサスレッド、フルオレセイン、およびＡｌｅｘａ色素（例えばＡｌｅｘａ５６８）が挙げられる。さらなる蛍光標識が、例えばＭｏｌｅｃｕｌａｒ  Ｐｒｏｂｅｓ（オレゴン州）から入手可能である。また、蛍光標識としての量子ドットの使用が、想到される。放射性標識は、公知かつ好適な、例えば感光膜またはホスホイメージャー（ｐｈｏｓｐｈｏｒ  ｉｍａｇｅｒ）などの任意の方法により検出され得る。
【０１０８】
ポリペプチドの量はまた、好ましくは、以下の通り測定することもできる：（ａ）本明細書の別の箇所で記載されるようなポリペプチド用の結合剤を含む固体支持体を、ペプチドまたはポリペプチドを含むサンプルと接触させること、および（ｂ）支持体に結合したペプチドまたはポリペプチドの量を測定すること。支持体を製造するための物質は、当該技術分野で周知であり、とりわけ、市販のカラム物質、ポリスチレンビーズ、ラテックスビーズ、磁気ビーズ、コロイド金属粒子、ガラスおよび／またはシリコンチップおよび表面、ニトロセルロースストリップ、メンブレン、シート、デュラサイト（ｄｕｒａｃｙｔｅ）、反応トレイのウェルおよび壁、プラスチックチューブなどが挙げられる。
【０１０９】
さらなる一態様では、結合剤と少なくとも１種のマーカーとの間で形成された複合体から、形成された複合体の量の測定前に、サンプルが除去される。したがって、一態様では、結合剤は固体支持体に固定されてもよい。さらなる態様では、洗浄溶液を使用することによって、固体支持体上で形成された複合体からサンプルが除去され得る。
【０１１０】
「サンドイッチアッセイ」は、最も有用かつ通常使用されるアッセイに含まれ、サンドイッチアッセイ技術のいくつかの変形形態を包含する。簡潔に言うと、典型的なアッセイでは、未標識の（捕捉）結合剤が固定化されている、または固体基質上に固定化され得る、それから試験されるサンプルを、捕捉結合剤との接触にいたらせることができる。結合剤−バイオマーカー複合体を形成させるのに十分な期間のため、適切なインキュベート期間の後、検出可能なシグナルを生成できるレポーター分子で標識化された第２の（検出）結合剤が添加され、またインキュベートされ、結合剤−バイオマーカー−標識化された結合剤という別の複合体の形成に十分な時間を確保する。未反応の物質は洗い流されてよく、バイオマーカーの存在は、検出結合剤に結合したレポーター分子により生成されるシグナルの観察により、判定される。結果は、可視シグナルの単純な観察による定性的なものでもよく、既知量のバイオマーカーを含む対照サンプルとの比較による定量的なものであってもよい。
【０１１１】
典型的なサンドイッチアッセイのインキュベーションステップは、必要に応じて適切であるように変更することができる。このような変更には、例えば、２種以上の結合剤およびバイオマーカーがともにインキュベートされる同時インキュベーションが含まれる。例えば、分析されるサンプルおよび標識化された結合剤の両方が同時に、固定化された捕捉結合剤に添加される。また、分析されるサンプルおよび標識化された結合剤を最初にインキュベートし、その後、固相に結合した抗体、または固相に結合することができる抗体を添加することもできる。
【０１１２】
特異的な結合剤とバイオマーカーの間で形成される複合体は、サンプル中に存在するバイオマーカーの量に比例するものとする。適用される結合剤の特異性および／または感度が、サンプル中に含まれる、特異的に結合されうる少なくとも１種のマーカーの割合の程度を規定することと理解されるであろう。測定を実行する方法の詳細については、本明細書の別の箇所にも記載されている。形成された複合体の量は、サンプル中に実際に存在する量を反映するバイオマーカーの量に変換されるものとする。
【０１１３】
「結合剤」、「特異的な結合剤」、「検体に特異的な結合剤」、「検出剤」および「バイオマーカーに特異的に結合する薬剤」という用語は、本明細書では互換可能に使用される。好ましくは、それは、対応するバイオマーカーと特異的に結合する結合部分を含む薬剤に関する。「結合剤」、「検出剤」、「薬剤」の例は、核酸プローブ、核酸プライマー、ＤＮＡ分子、ＲＮＡ分子、アプタマー、抗体、抗体断片、ペプチド、ペプチド核酸（ＰＮＡ）または化学物質である。好ましい薬剤は、測定されるバイオマーカーに特異的に結合する抗体である。本明細書で使用される「抗体」という用語は、最も広い意味で使用され、モノクローナル抗体、ポリクローナル抗体、多特異性抗体（例えば二重特異性抗体）、および所望の抗原結合活性を示す限り抗体断片（すなわちその抗原結合断片）を含むが、これらに限定されず、さまざまな抗体構造を包含する。好ましくは、抗体はポリクローナル抗体（または、それからの抗原結合断片）である。より好ましくは、抗体は、モノクローナル抗体（またはそれからの抗原結合断片）である。さらに、本明細書の他の箇所で説明するように、（サンドイッチ免疫学的検定において）Ａｎｇ−２の異なる位置で結合する２つのモノクローナル抗体が使用されることが想定される。したがって、Ａｎｇ−２の量を決定するために少なくとも１種の抗体が使用される。
【０１１４】
「特異的な結合」または「特異的に結合する」という用語は、結合する対の分子が、その他の分子に有意に結合しない条件下で、互いに結合することを示す結合反応を指す。「特異的な結合」または「特異的に結合する」という用語は、バイオマーカーとしてのタンパク質またはペプチドに関する場合、結合剤が、対応するバイオマーカーに少なくとも１０７Ｍ−１の親和性（「会合定数」Ｋａ）で結合する結合反応を指す。「特異的な結合」または「特異的に結合する」という用語は、標的分子に対して、好ましくは少なくとも１０８Ｍ−１、またはさらにより好ましくは少なくとも１０９Ｍ−１の親和性を指す。「特異的な」または「特異的に」という用語は、サンプル中に存在するその他の分子が、標的分子に特異的な結合剤に、有意に結合しないことを示すために使用される。
【０１１５】
「量」という用語は、本明細書で使用される場合、本明細書でいうバイオマーカー（例えば、Ａｎｇ−２またはＩＧＦＢＰ７）の絶対量、上記バイオマーカーの相対量または濃度、およびそれらと相関するまたはそれらから導き出され得る任意の値またはパラメータを包含する。このような値またはパラメータは、直接測定により上記ペプチドから得られる、特定の物理的または化学的特性すべてに由来する強度シグナル値、例えば、質量スペクトルまたはＮＭＲスペクトルでの強度値を含む。さらに、本明細書の別の箇所で明示される間接測定により得られる値またはパラメータ全て、例えば、特異的に結合したリガンドから得られるペプチドまたは強度シグナルに応答して生物学的読み出しシステムにより決定される応答量、が包含される。上述の量またはパラメータに相関する値は、すべての標準的な数学的演算によっても得られるということを理解されたい。
【０１１６】
「比較する」という用語は、本明細書で使用される場合、被検者からのサンプル中のバイオマーカー（Ａｎｇ−２またはＩＧＦＢＰ７）の量を、本明細書の別の箇所で明示されるバイオマーカーの基準量と比較することを指す。比較する、は本明細書で使用される場合、通常、対応するパラメータまたは値の比較を指すということを理解すべきであり、例えば、絶対量は絶対基準量と比較され、濃度は基準濃度と比較され、サンプル中のバイオマーカーから得られる強度シグナルは基準サンプルから得られる同じタイプの強度シグナルと比較される。比較は、手作業またはコンピュータを利用して実施してもよい。したがって、比較は、計算装置により実施してもよい。被検者からのサンプル中のバイオマーカーの決定量または検出量、および基準量についての値は、例えば、互いに比較することができ、また上記比較は、比較のためのアルゴリズムを実行するコンピュータプログラムにより自動的に実施されうる。上記評価を実施するコンピュータプログラムは、好適なアウトプット様式で、所望の評価を提供することになる。コンピュータを利用した比較において、決定量の値が、コンピュータプログラムにより、データベースに保存されている好適な基準に対応する値と比較されてもよい。コンピュータプログラムは、比較結果をさらに評価する、すなわち、好適なアウトプット様式で所望の評価を自動的に提供してもよい。コンピュータを利用した比較において、決定量の値が、コンピュータプログラムにより、データベースに保存されている好適な基準に対応する値と比較されてもよい。コンピュータプログラムは、比較結果をさらに評価する、すなわち、好適なアウトプット様式で所望の予測を自動的に提供してもよい。
【０１１７】
本発明によれば、本明細書でいうバイオマーカーの量、すなわちＡｎｇ−２の量および／またはＩＧＦＢＰ７の量は、基準、すなわち基準量（または基準量）と比較されるものとする。したがって、基準は、好ましくは基準量である。「基準量」という用語は、当業者によく理解されている。基準量は、本明細書の他の箇所に記載されているような、脳卒中の予測、または脳卒中の臨床的予測ルールの最適化を可能にするものであることを理解されたい。例えば、脳卒中のリスクを予測するための方法に関連して、「基準量」という用語は、好ましくは、（ｉ）心房細動を患う被検者のグループ、または（ｉｉ）心房細動を患わない被検者のグループ、のいずれかに、被検者を割り当てられる量を指す。好適な基準量は、試験サンプルとともに、すなわち同時にまたは続いて分析される基準サンプルより決定されてもよい。
【０１１８】
Ａｎｇ−２の量はＡｎｇ−２の基準量と比較され、および／またはＩＧＦＢＰ７の量はＩＧＦＢＰ７の基準量と比較されることを理解されたい。２種のマーカーの量が決定される場合、Ａｎｇ−２およびＩＧＦＢＰ７の量に基づいて、併用スコアが計算されることもまた想定される。次のステップでは、このスコアが基準スコアと比較される。
【０１１９】
基準量は、原則として、統計学の標準的方法を適用することにより、所定のバイオマーカーの平均または平均値に基づいて、上記で特定したように被検者のコホートに対し算出され得る。特に、イベントの診断を目的とする方法などの試験精度は、レシーバー動作特性（ＲＯＣ）により最もよく説明される（特に、Ｚｗｅｉｇ  ＭＨ．ｅｔ  ａｌ．，Ｃｌｉｎ．Ｃｈｅｍ．１９９３；３９：５６１−５７７を参照のこと）。ＲＯＣグラフは、観察されたデータの全範囲にわたって決定閾値を継続的に変動させることにより生じる、すべての感度対特異性のペアのプロットである。診断方法の臨床成績は、その正確性、すなわち被検者を特定の予後または診断に正確に割り当てる能力に依存する。ＲＯＣプロットは、区別を行うのに適した閾値の全範囲について、感度対１−特異性をプロットすることにより、２つの分布間の重複を示す。ｙ軸は、感度、すなわち真陽性率であり、真陽性試験結果の数および偽陰性試験結果の数の積に対する、真陽性試験結果の数の比率として定義される。それは影響を受けるサブグループからのみ計算される。ｘ軸上は、偽陽性率、または１−特異性であり、これは、真陰性の数および偽陽性結果の数の積（ｐｒｏｄｕｃｔ）に対する、偽陽性結果の数の比率として定義される。これは特異性の指標であり、影響を受けないサブグループからのみ計算される。真陽性および偽陽性率は、２つの異なるサブグループからの試験結果を使用して完全に別々に算出されるため、ＲＯＣプロットはコホートにおけるイベント有病率から独立である。ＲＯＣプロット上の各点は、特定の決定閾値に対応する感度／１−特異性のペアを表す。完全な区別のある（結果の２つの分布に重複がない）試験は、左上隅を通るＲＯＣプロットを有し、真陽性率は１．０、または１００％（完全な感度）、偽陽性率は０（完全な特異性）となる。区別のない（２つのグループでの結果の分布が同一である）試験における理論上のプロットは、左上隅から右上隅への４５°の対角線となる。ほとんどのプロットは、これらの２つの極値の間にある。ＲＯＣプロットが４５°対角線を完全に下回る場合、これは、「陽性」の基準を「より高い」から「より低い」に入れ替え、逆もまた同様にすることで、容易に修正される。定性的には、プロットが左上隅に近いほど、試験全体の精度が高くなる。所望の信頼区間に応じて、ＲＯＣ曲線から閾値を導き出すことができ、これにより、感度および特異性それぞれの適切なバランスを備えた所定のイベントについての診断が可能になる。したがって、本発明の方法に使用される基準、すなわち心房細動を評価することを可能にする閾値は、好ましくは、上記のように上記コホートのＲＯＣを確立し、またそこから閾値量を導出することによって、生成され得る。診断方法における所望の感度および特異性に応じて、ＲＯＣプロットは、好適な閾値を導出することができる。脳卒中のリスクがある被検者を除外する場合（すなわちルールアウト）、最適な感度が望ましく、脳卒中のリスクがあると予測される被検者に対しては（すなわちルールイン）、最適な特異性が想定されることが理解されるはずである。
【０１２０】
好ましくは、本明細書における「基準量」という用語は、所定の値を指す。上記所定の値は、脳卒中のリスクを予測することを可能にするものとする。
【０１２１】
好ましくは、基準量、すなわち基準量は、脳卒中を患うリスクがある被検者、および脳卒中を患うリスクがない被検者との間の区別を可能にするものとする。
【０１２２】
診断アルゴリズムは、好ましくは、以下の通りである。
【０１２３】
好ましくは、上記基準量と比較して、Ａｎｇ−２の量および／もしくはＩＧＦＢＰ７の量が増加する場合は、脳卒中を患うリスクがある被検者を示唆する、ならびに／または、上記基準量と比較して、Ａｎｇ−２の量および／もしくはＩＧＦＢＰ７の量が減少する（もしくは変化しない）場合は、脳卒中を患うリスクがない被検者を示唆する。
【０１２４】
好ましい基準量は、実施例セクションに示す。好ましくは血液、血清または血漿サンプル中で、例えば、Ａｎｇ−２に関しては、基準量は２．４ｎｇ／ｍｌであり、ＩＧＦＢＰ７に関しては１７８ｐｇ／ｍｌである。しかしながら、所望の感度および特異性に応じて、他の基準量もまた信頼できる予測を可能にすることが、当業者により理解されるであろう。
【０１２５】
本発明の基礎となる研究では、Ａｎｇ−２および／またはＩＧＦＢＰ７の決定により、被検者の臨床的脳卒中リスクスコアの予測精度を改善できることがさらに示されている。したがって、臨床的脳卒中リスクスコアの決定とＡｎｇ−２および／またはＩＧＦＢＰ７の決定を組み合わせることにより、単独のＡｎｇ−２および／またはＩＧＦＢＰ７の決定または臨床的脳卒中リスクスコアの決定と比較して、脳卒中のより信頼性の高い予測が可能になる。
【０１２６】
したがって、脳卒中のリスクを予測するための方法は、Ａｎｇ−２の量および／またはＩＧＦＢＰ７の量、ならびに臨床的脳卒中リスクスコアの組み合わせをさらに含んでもよい。Ａｎｇ−２の量および／またはＩＧＦＢＰ７の量ならびに臨床的リスクスコアの組み合わせに基づいて、被検者の脳卒中のリスクが予測される。
【０１２７】
したがって、本発明は、特に、被検者の脳卒中のリスクを予測する方法であって、
ａ）既知の臨床的脳卒中リスクスコアを有する上記被検者からのサンプルにおいて、Ａｎｇ−２の量および／またはインスリン様増殖因子結合タンパク質７（ＩＧＦＢＰ７）の量を決定するステップ、
ｂ）上記被検者の上記臨床的脳卒中リスクスコアを評価するステップ、ならびに
ｃ）ステップａ）およびｂ）の結果に基づいて、脳卒中の上記リスクを予測するステップ、
を含む、方法に関する。
【０１２８】
本発明の方法によれば、被検者は、既知の臨床的脳卒中リスクスコアを有する被検者であることが想定される。したがって、臨床的脳卒中リスクスコアの値は、被検者について既知である。
【０１２９】
あるいは、本方法は、臨床的脳卒中リスクスコアの値を取得することまたは提供することを含んでもよい。したがって、ステップｂ）は、好ましくは、臨床的リスクスコアの値を提供することを含む。好ましくは、上記値は数値である。一実施形態では、臨床的脳卒中リスクスコアは、医師が利用できる臨床ベースのツールの１つによって生成される。好ましくは、その値は、被検者の臨床的脳卒中リスクスコアの値を決定することによって提供されたものである。より好ましくは、被検者の値は、その被検者の患者記録データベースおよび病歴から得られる。したがって、上記スコアの値は、被検者の病歴または公開データを使用して決定することもできる。
【０１３０】
本発明によれば、Ａｎｇ−２の量および／またはＩＧＦＢＰ７の量は、臨床的脳卒中リスクスコアと組み合わされる。これは、好ましくは、Ａｎｇ−２の量および／またはＩＧＦＢＰ７の量の値が、臨床的脳卒中リスクスコアと組み合わされることを意味する。したがって、これらの値は、被検者が脳卒中を患うリスクを予測するために機能的に組み合わされる。これらの値を組み合わせることにより、単一の値を計算でき、それ自体を上記予測に使用することができる。
【０１３１】
臨床的脳卒中リスクスコアは、当該技術分野において周知である。例えば、上記スコアは、Ｋｉｒｃｈｈｏｆ  Ｐ．ｅｔ  ａｌ（Ｅｕｒｏｐｅａｎ  Ｈｅａｒｔ  Ｊｏｕｒｎａｌ  ２０１６；３７：２８９３−２９６２）に記載されている。一実施形態では、上記スコアは、ＣＨＡ２ＤＳ２−ＶＡＳｃスコアである。別の実施形態では、上記スコアは、ＣＨＡＤＳ２スコアである。（Ｇａｇｅ  ＢＦ．Ｅｔ  ａｌ．，ＪＡＭＡ，２８５（２２）（２００１），ｐｐ．２８６４−２８７０）およびＡＢＣスコア、すわなち、ｔｈｅ  ＡＢＣ（ａｇｅ，ｂｉｏｍａｒｋｅｒｓ，ｃｌｉｎｉｃａｌ  ｈｉｓｔｏｒｙ）ｓｔｒｏｋｅ  ｒｉｓｋ  ｓｃｏｒｅ（Ｈｉｊａｚｉ  Ｚ．ｅｔ  ａｌ．，Ｌａｎｃｅｔ  ２０１６；３８７（１００３５）：２３０２−２３１１）。この段落のすべての出版物は、そのすべての開示内容に関して、参照により本明細書に組み込まれる。
【０１３２】
したがって、本発明の一実施形態では、臨床的脳卒中リスクスコアは、ＣＨＡ２ＤＳ２−ＶＡＳｃスコアである。
【０１３３】
本発明の別の実施形態では、臨床的脳卒中リスクスコアは、ＣＨＡＤＳ２スコアである。
【０１３４】
さらなる一実施形態では、臨床的リスクスコアは、上記ＡＢＣスコアである。上記ＡＢＣ脳卒中リスクスコアは、ＡＦの脳卒中を予測するため新規のバイオマーカーベースのリスクスコアで、ＡＦ患者の大規模なコホートで検証され、さらに独立したＡＦコホートで外部的に検証された（Ｈｉｊａｚｉ  ｅｔ  ａｌ，２０１６を参照のこと）。それは、被検者の年齢、被検者における心臓トロポニンＴおよびＮＴ−ｐｒｏＢＮＰの血液、血清または血漿レベル、および被検者が脳卒中の病歴を有するかどうかに関する情報を含む。好ましくは、ＡＢＣ脳卒中スコアは、Ｈｉｊａｚｉ  ｅｔ  ａｌ．で開示されたスコアである。
【０１３５】
好ましい実施形態では、（本明細書の他の個所に記載されるように）被検者における脳卒中のリスクを予測するための上記方法は、被検者が脳卒中を患うリスクがあると特定された場合、抗凝固療法を推奨するステップ、または抗凝固療法の強化を推奨するステップをさらに含む。
【０１３６】
臨床的脳卒中リスクスコアの予測精度を改善する方法
本発明はさらに、被検者の臨床的脳卒中リスクスコアの予測精度を改善する方法であって、
ａ）本明細書の他の箇所で規定されているように、被検者からのサンプル中のＡｎｇ−２および／またはＩＧＦＢＰ７の量を決定するステップ、ならびに
ｂ）Ａｎｇ−２および／またはＩＧＦＢＰ７の量（特に、量の値）を上記臨床的脳卒中リスクスコアと組み合わせ、それによって、上記臨床的脳卒中リスクスコアの予測精度が改善されるステップ
を含む、方法に関する。
【０１３７】
この方法は、ｃ）ステップｂ）の結果に基づいて、上記臨床的脳卒中リスクスコアの予測精度を改善するさらなるステップを含んでもよい。
【０１３８】
本明細書での上記の定義および説明は、心房細動の評価方法、特に有害事象（脳卒中など）のリスクを予測する方法に関連して、好ましくは、上述の方法にも適用され、なお、例えば、被検者は、既知の臨床的脳卒中リスクスコアを有する被検者であることが想定される。あるいは、本方法は、臨床的脳卒中リスクスコアの値を取得することまたは提供することを含んでもよい。
【０１３９】
本発明によれば、Ａｎｇ−２および／またはＩＧＦＢＰ７の量は、臨床的脳卒中リスクスコアと組み合わされる。これは、好ましくは、Ａｎｇ−２および／またはＩＧＦＢＰ７の量の値が、臨床脳卒中リスクスコアと組み合わされることを意味する。その結果、これらの値を機能的に組み合わせて、臨床的脳卒中リスクスコアの予測精度を向上させる。
【０１４０】
本発明はさらに、被検者の脳卒中のリスクの予測を支援する方法であって、
ａ）本発明の方法に関連して、本明細書でいう被検者からサンプルを採取するステップ、
ｂ）上記サンプル中のバイオマーカーＡｎｇ−２および／またはＩＧＦＢＰ７の量を決定するステップ、ならびに
ｃ）バイオマーカーＡｎｇ−２および／またはＩＧＦＢＰ７の決定された量に関する情報を上記被検者の主治医に提供するステップと、これにより、リスクの予測を支援するステップ、
を含む、方法に関する。
【０１４１】
主治医は、バイオマーカーの決定を依頼した医師であるものとする。上記方法は、心房細動の評価において主治医を支援するものとする。したがって、この方法は、実際のリスクの予測を包含しない。
【０１４２】
サンプルを採取する上記方法のステップａ）は、被検者からのサンプルの抽出を包含しない。好ましくは、サンプルは、上記被検者からサンプルを受け取ることによって採取する。このように、サンプルは引き渡される可能性がある。
【０１４３】
本発明はさらに、
ａ）バイオマーカーＡｎｇ−２および／またはＩＧＦＢＰ７の試験を提供すること、ならびに
ｂ）心房細動の評価における上記試験によって得られた、または得られうる試験結果の使用に対する指示を提供すること、
を含む、方法に関する。
【０１４４】
上述の方法の目的は、好ましくは、本明細書の他の箇所でより詳細に説明されるように、脳卒中のリスクの予測を支援することである。
【０１４５】
本明細書に記載されるように、上記指示は、心房細動を評価する方法を実行するためのプロトコルを含むものとする。さらに、上記指示は、Ａｎｇ−２および／またはＩＧＦＢＰ７の基準量の少なくとも１つの値を含むものとする。
【０１４６】
「試験」は、心房細動を評価する方法を実行するように適合したキットであることが好ましい。「キット」という用語については、以下で説明する。例えば、上記キットは、バイオマーカーＡｎｇ−２用の少なくとも１種の検出剤および／またはバイオマーカーＩＧＦＢＰ７用の少なくとも１種の検出剤を含むものとする。２種のバイオマーカーの検出試薬は、１つのキットまたは２つの別々のキットで提供され得る。
【０１４７】
上記試験により得られた試験結果または得ることができる試験結果は、バイオマーカーの量の値である。
【０１４８】
一実施形態では、ステップｂ）は、（本明細書の他の箇所で記載されるように）脳卒中の予測における上記試験によって得られたまたは得ることができる試験結果を使用するための指示を提供することを含む。
【０１４９】
本明細書での上記の定義および説明は、好ましくは、以下について準用する。
【０１５０】
本発明はさらに、被検者の脳卒中のリスクを予測するための、前記被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用、に関する。
【０１５１】
さらに、本発明は、脳卒中リスクスコアの予測精度を改善するための、被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用、に関する。
【０１５２】
最後に、本発明は、被検者が脳卒中を患うリスクを予測するための、臨床的脳卒中リスクスコアと組み合わされた、被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用、に関する。
【０１５３】
「サンプル」、「被検者」、「検出剤」、「Ａｎｇ−２」、「ＩＧＦＢＰ７」、「特異的結合」、「脳卒中」、および「リスクの予測」など、上述の使用に関連して言及された用語は、本発明の方法に関連して定義されている。定義と説明はそれに応じて適用される。
【０１５４】
好ましくは、上述の使用は、インビトロでの使用である。さらに、検出剤は、好ましくは、バイオマーカーに特異的に結合するモノクローナル抗体（またはその抗原結合断片）などの抗体である。
【０１５５】
本明細書で引用されたすべての参考文献は、その全体の開示内容および本明細書で具体的に言及された開示内容に関して、参照により本明細書に組み込まれる。
【図面の簡単な説明】
【０１５６】
図は以下を示す
【図１ａ】ベースラインＩＧＦＢＰ−７測定値が、≦１７８ｐｇ／ｍＬ  ｖｓ  ＞１７８ｐｇ／ｍＬによって定義された、２つのグループにおいて、加重カプラン・マイヤー生存率を推定する。この図は、ベースラインＩＧＦＢＰ−７測定値が、≦１７８ｐｇ／ｍＬ  ｖｓ  ＞１７８ｐｇ／ｍＬである２つの患者グループの加重カプラン・マイヤー曲線を示す。容易にわかるように、脳卒中の発症に対する２つのグループのリスクは大きく異なる。図１ａに示すように、ＩＧＦＢＰ−７は、経口抗凝固薬またはビタミン拮抗薬を投与されている心房細動のある患者の集団においてさえ、脳卒中のリスクが高い患者を特定するのに役立つことがある。
【図１ｂ】ベースラインアンジオポエチン−２測定値が、≦２．４ｎｇ／ｍｌ  ｖｓ  ＞２．４ｎｇ／ｍｌで定義された、２つのグループにおいて、加重カプラン・マイヤー生存率を推定する。この図は、ベースラインのアンジオポエチン−２測定値が、≦２．４ｎｇ／ｍｌ  ｖｓ  ＞２．４ｎｇ／ｍｌである２つの患者グループの加重カプラン・マイヤー曲線を示す。容易にわかるように、脳卒中の発症に対する２つのグループのリスクは大きく異なる。図１ｂに示すように、Ａｎｇ−２は、経口抗凝固薬またはビタミン拮抗薬を投与されている心房細動のある患者の集団においてさえ、脳卒中のリスクが高い患者を特定するのに役立つことがある。
【実施例】
【０１５７】
本発明は、以下の実施例によって単に例示されるものである。上記実施例は、いかなる場合でも、本発明の範囲を限定する方法で解釈されないものとする。
【実施例１】
【０１５８】
脳卒中の発症リスクを予測するためのＩＧＦＢＰ−７の循環およびＡｎｇ−２の循環の能力は、心房細動が確認された患者の前向きな多中心的登録において評価された（Ｃｏｎｅｎ  Ｄ．，Ｆｏｒｕｍ  Ｍｅｄ  Ｓｕｉｓｓｅ  ２０１２；１２：８６０−８６２；Ｂｌｕｍ  Ｓ．（Ｊ  Ａｍ  Ｈｅａｒｔ  Ａｓｓｏｃ．２０１７；６：ｅ００５４０１．ＤＯＩ：１０．１１６１／ＪＡＨＡ．１１６．００５４０１）。
【０１５９】
Ｂｅａｔ  ＡＦコホートは、７年間追跡された患者１５５３人のベースライン血漿サンプルで構成される。平均年齢は、女性が７０＋／−１１歳、男性が６７＋／−１２歳であった。主要評価項目は、脳卒中または全身性塞栓症であった。７０人の患者が経過観察期間内に脳卒中を経験し、そのほとんどが３年以内に脳卒中を経験した。２０１０年から２０１４年の間に、ＡＦが確認された患者１５５３人がスイスの７つのセンターにまたがって登録された。その時点で、治療はビタミンＫ拮抗薬から経口抗凝固療法に変更されたばかりであり、登録された患者の約７０％が経口抗凝固療法を受け、また一部の患者はまだ採血時にビタミン拮抗薬を投与されていた。Ｂｅａｔ  ＡＦコホートの患者の大多数は、血栓予防と脳卒中予防のために、ビタミンＫ拮抗薬の代わりに「新しい治療法、新規の経口抗凝固薬」（ＮＯＡＣ、ＯＡＣ）をすでに投与された。
【０１６０】
ＮＯＡＣは、直接第Ｘａ因子阻害剤（アピキサバン、リバーロキサバン、ダレキサバン、エドキサバン）、直接トロンビン阻害剤（ダビガトラン）およびＰＡＲ−１拮抗薬（ボラパクサル、アトパキサール）を含む。ビタミンＫ拮抗薬は、ワルファリンおよびジクマロールを含む。すべての患者に、以前にＥＣＧ、リズムストリップ、またはデバイスの照合によって、確認されたＡＦがあることが求められた。登録された患者の約６０％に発作性ＡＦ、２０％に持続性ＡＦ、２０％に恒久性ＡＦがあった。発作性ＡＦは、採血時に洞調律を呈する患者の自己制限型ＡＦ、さらに、採取時にＡＦおよび進行中のＡＦのいくつかのエピソードを有する患者を含む臨床診断によって評価された。除外基準は、インフォームドコンセントに署名できないこと、およびＡＦの短い一過性のエピソード（例：心臓手術後のＡＦ）の唯一の存在であった。
【０１６１】
ＩＧＦＢＰ−７レベルは、脳卒中転帰のある６９人の患者と脳卒中のない１４３５人の患者において、有効であった。アンジオポエチン−２レベルは、脳卒中転帰のある６９人の患者と脳卒中のない１４３０人の患者において、有用であった。
【０１６２】
ＩＧＦＢＰ−７およびＡｎｇ−２の一変量予後値を定量化するために、比例ハザードモデルを転帰脳卒中で使用した。
【０１６３】
ＩＧＦＢＰ−７またはＡｎｇ−２の一変量予後パフォーマンスは、ＩＧＦＢＰ−７またはＡｎｇ−２によってそれぞれ与えられる予後情報を２つの異なる方法で組み込むことによって評価された。
【０１６４】
最初の比例ハザードモデルには、中央値（それぞれ１７８ｐｇ／ｍＬまたは２．４ｎｇ／ｍｌ）で二値化されたＩＧＦＢＰ−７またはＡｎｇ−２が含まれていたため、ＩＧＦＢＰ−７またはＡｎｇ−２が中央値以下の患者と、ＩＧＦＢＰ−７またはＡｎｇ−２が中央値を超える患者のリスクを比較した。
【０１６５】
２番目の比例ハザードモデルは、元のＩＧＦＢＰ−７またはＡｎｇ−２レベルが含んだが、ｌｏｇ２スケールに変換した。ｌｏｇ２変換は、モデルキャリブレーションを改善するために実行された。
【０１６６】
【表１】
2021507216.tif 000002
【０１６７】
表１は、２値化またはｌｏｇ２変換されたＩＧＦＢＰ−７またはＡｎｇ−２を含む、２つの一変量加重比例ハザードモデルの結果を示す。
【０１６８】
脳卒中を経験するリスクとＩＧＦＢＰ−７またはＡｎｇ−２のベースライン値との関連は、両モデルともに非常に有意である。
【０１６９】
２値化されたＩＧＦＢＰ−７のハザード比は、ベースラインＩＧＦＢＰ−７＞１７８ｐｇ／ｍＬの患者グループは、ベースラインＩＧＦＢＰ−７≦１７８ｐｇ／＜ｍＬの患者グループに対して、脳卒中のリスクが３．１４倍高くなることを意味する。
【０１７０】
ｌｏｇ２変換線形リスク予報値として、ＩＧＦＢＰ−７を含む比例ハザードモデルの結果は、ｌｏｇ２変換値ＩＧＦＢＰ−７が脳卒中を経験するリスクに比例することを示唆する。ハザード比３．０９は、ＩＧＦＢＰ−７の２倍の増加が、脳卒中のリスクの３．０９の増加に関連すると解釈されうる。
【０１７１】
２値化されたアンジオポエチン−２のハザード比は、ベースラインアンジオポエチン−２＞２．４ｎｇ／ｍｌの患者グループは、ベースラインアンジオポエチン−２≦２．４ｎｇ／ｍｌの患者グループに対して、脳卒中のリスクが３．３１倍高くなることを意味する。
【０１７２】
ｌｏｇ２変換線形リスク予報値として、アンジオポエチン−２を含む比例ハザードモデルの結果は、ｌｏｇ２変換値アンジオポエチン−２が脳卒中を経験するリスクに比例することを示唆する。ハザード比１．７８は、アンジオポエチン−２の２倍の増加が、脳卒中のリスクの１．７８の増加に関連すると解釈されうる。
【０１７３】
二分されたベースラインＩＧＦＢＰ−７またはＡｎｇ−２測定に基づく、２つのグループの絶対生存率（≦１７８ｐｇ／ｍＬ  ｖｓ  ＞１７８ｐｇ／ｍＬ；≦２．４ｎｇ／ｍｌ  ｖｓ  ＞２．４ｎｇ／ｍｌ）は、カプラン・マイヤープロットで示される。
【０１７４】
ＩＧＦＢＰ−７またはＡｎｇ−２の予後値が、既知の臨床的および人口統計学的リスク因子から独立しているかどうかを評価するために、年齢、性別、ＣＨＦ病歴、高血圧の病歴、脳卒中／ＴＩＡ／血栓塞栓症の病歴、血管疾患の病歴、糖尿病の病歴を追加して含む、加重比例コックスモデルが、計算された。
【０１７５】
図１は、ベースラインＩＧＦＢＰ−７測定値が、≦１７８ｐｇ／ｍＬ  ｖｓ  ＞１７８ｐｇ／ｍＬである２つの患者グループの加重カプラン・マイヤー曲線を示す。容易にわかるように、脳卒中の発症に対する２つのグループのリスクは大きく異なる。図１に示すように、ＩＧＦＢＰ−７は、経口抗凝固薬またはビタミン拮抗薬を投与されている心房細動のある患者の集団においてさえ、脳卒中のリスクが高い患者を特定するのに役立つことがある。
【０１７６】
図１ｂは、ベースラインのアンジオポエチン−２測定値が、≦２．４ｎｇ／ｍｌ  ｖｓ  ＞２．４ｎｇ／ｍｌである２つの患者グループの加重カプラン・マイヤー曲線を示す。容易にわかるように、脳卒中の発症に対する２つのグループのリスクは大きく異なる。図１ｂに示すように、Ａｎｇ−２は、経口抗凝固薬またはビタミン拮抗薬を投与されている心房細動のある患者の集団においてさえ、脳卒中のリスクが高い患者を特定するのに役立つことがある。
【０１７７】
【表２】
2021507216.tif 000003
【０１７８】
表２は、臨床的および人口統計学的変数を組み合わせたＩＧＦＢＰ−７（ｌｏｇ２変換）を含む、比例ハザードモデルの結果を示す。ＩＧＦＢＰ−７のハザード比の点推定量が１を超えることは注目に値するが、ｐ値は０．０５を超える。
【０１７９】
ただし、ハザード比が依然として高いこと、および表２に示す臨床的変数のみを含むモデルのｃ−ｉｎｄｅｘが、ＩＧＦＢＰ−７の追加により、０．００５４改善することを考えると、ＩＧＦＢＰ−７の効果は、例えば、１４０のイベントを有する、より大きなコホートにおいて有意であると予想されうる。
【０１８０】
表２は、臨床的および人口統計学的変数を組み合わせたアンジオポエチン−２（ｌｏｇ２変換）を含む、比例ハザードモデルの結果を示す。これは、関連する臨床的および人口統計学的変数の予後効果を調整すると、アンジオポエチン−２の予後効果が依然として有意であることを明確に示す。
【０１８１】
ＣＨＡＤＳ２を含む脳卒中加重比例ハザードモデルの予後における既存のリスクスコアを改善するためのＩＧＦＢＰ−７またはＡｎｇ−２の能力を評価するために、ＣＨＡ２ＤＳ２−ＶＡＳＣスコアおよびＩＧＦＢＰ−７またはＡｎｇ−２（ｌｏｇ２変換）が計算された。
【０１８２】
【表３】
2021507216.tif 000004
【０１８３】
表３は、ＣＨＡＤＳ２スコアに、ＩＧＦＢＰ−７およびＡｎｇ−２（ｌｏｇ２変換）を組み合わせた、加重比例ハザードモデルの結果を示す。また、このモデルでは、ＩＧＦＢＰ−７およびＡｎｇ−２は、予後情報をＣＨＡＤＳ２スコアに追加できる。
【０１８４】
【表４】
2021507216.tif 000005
【０１８５】
表４は、ＣＨＡ２ＤＳ２−ＶＡＳｃスコアに、ＩＧＦＢＰ−７およびＡｎｇ−２（ｌｏｇ２変換）を組み合わせた、加重比例ハザードモデルの結果を示す。表２と同様に、ＩＧＦＢＰ−７のハザード比は依然として１を超えるが、ｐ値は０．０５に達していない。また、ここでは比較的少数のイベントを考慮する必要がある。また、このモデルでは、アンジオポエチン−２は、予後情報をＣＨＡ２ＤＳ２−ＶＡＳｃスコアに追加できる。
【０１８６】
ＣＨＡＤＳ２およびＣＨＡ２ＤＳ２−ＶＡＳｃスコアのｃ−ｉｎｄｅｘを、これらのモデルのｃ−ｉｎｄｅｘと比較した。
【０１８７】
【表５】
2021507216.tif 000006
【０１８８】
観察された脳卒中までの最短時間は、脳卒中、ＴＩＡ、血管疾患、高血圧または糖尿病の病歴のない恒久性心房細動のある７５歳の女性患者から採血後１１日であった。ベースラインでは、ＩＧＦＢＰ−７（３１８ｐｇ／ｍＬ）およびＡｎｇ−２（１４．６ｎｇ／ｍＬ）の上昇した力価が検出された。この患者は、恒久性心房細動を患っており、抗凝固剤を投与された。患者は、心不全の病歴がなく、心不全の診断も受けていない。
【０１８９】
ＩＧＦＢＰ−７とＡｎｇ−２の中央値は、脳卒中を発症している患者の心不全（ＨＦ）の病歴あり／なしで比較された。
【０１９０】
【表６】
2021507216.tif 000007
【０１９１】
表６に示すように、脳卒中を発症した患者では、心不全の病歴に関係なく、１７８ｐｇ／ｍＬを超えるＩＧＦＢＰ−７、および２．４ｎｇ／ｍＬを超えるＡｎｇ−２のレベルの上昇が観察された。心不全の診断がなく、また心不全の病歴もない一部集団の患者５４名においてもまた、１７８ｐｇ／ｍＬを超えるＩＧＦＢＰ−７、および２．４ｎｇ／ｍＬを超えるＡｎｇ−２のレベルの上昇が観察された。
【０１９２】
この結果は、ＩＧＦＢＰ−７が、新しい患者の将来の脳卒中のリスクを予測するために、単独で、または組み合わせとして、脳卒中リスク（ＣＨＡＤＳ２、ＣＨＡ２ＤＳ２−ＶＡＳｃおよびＡＢＣなど）の予測における臨床的スコアを大幅に改善するために、複数の方法で使用できることを示唆する。患者は、心房細動のある患者でもよく、また、すでに抗凝固薬またはビタミンＫａ拮抗薬を投与されていてもよい。
【０１９３】
新しい患者の場合、ＩＧＦＢＰ−７を測定し、あらかじめ定義されたカットオフ（例：１７８ｐｇ／ｍＬ）と比較できる。新しい患者の測定値が、あらかじめ定義されたカットオフを超えている場合、患者は脳卒中の経験に対してリスクが高いと見なされ、適切な臨床的措置が開始されうる。
【０１９４】
カットオフのセットを増加させることに基づいて、３つ以上のリスクグループを定義することもできる。次に、患者は、ＩＧＦＢＰ−７の測定値に基づいて、リスクグループの１つに割り当てられる。脳卒中のリスクは、さまざまなリスクグループにわたって増加すると予想される。
【０１９５】
あるいは、あらかじめ定義された好適な変換関数に基づいて、ＩＧＦＢＰ−７の結果を連続的なリスクスコアに直接的に変換することもできる。
【０１９６】
さらに、ＩＧＦＢＰ−７の値を、臨床的および人口統計学的変数（例：ＣＨＡ２ＤＳ２−ＶＡＳｃスコアまたはＡＢＣスコア）に基づくリスクスコアと組み合わせて使用することもでき、これにより、リスク予測の精度が向上する。
【０１９７】
新しい患者の場合、リスクスコアの値は、適切な方法で評価される、それから測定されたＩＧＦＢＰ−７値（潜在的にｌｏｇ２変換された）とともに、適切な方法で、例えば、リスクスコア結果、および適切にあらかじめ定義された重みをもつＩＧＦＢＰ−７値の重み付き合計を作成することによって（例えば、表３に示すように）、組み合わされる。
【０１９８】
この結果は、アンジオポエチン−２が、新しい患者の将来の脳卒中のリスクを予測するために、単独で、または組み合わせとして、脳卒中リスク（ＣＨＡＤＳ２、ＣＨＡ２ＤＳ２−ＶＡＳｃおよびＡＢＣなど）の予測における臨床的スコアを大幅に改善するために、複数の方法で使用できることを示唆する。患者は、心房細動のある患者でもよく、また、すでに抗凝固薬またはビタミンＫａ拮抗薬を投与されていてもよい。
【０１９９】
新しい患者の場合、アンジオポエチン−２を測定し、あらかじめ定義されたカットオフ（例：２．４ｎｇ／ｍｌ）と比較できる。新しい患者の測定値が、あらかじめ定義されたカットオフを超えている場合、患者は脳卒中の経験に対してリスクが高いと見なされ、適切な臨床的措置が開始されうる。
【０２００】
カットオフのセットを増加させることに基づいて、３つ以上のリスクグループを定義することもできる。
【０２０１】
次に、患者は、アンジオポエチン−２の測定値に基づいて、リスクグループの１つに割り当てられる。脳卒中のリスクは、さまざまなリスクグループにわたって増加すると予想される。
【０２０２】
あるいは、あらかじめ定義された好適な変換関数に基づいて、アンジオポエチン−２の結果を連続的なリスクスコアに直接的に変換することもできる。
【０２０３】
さらに、アンジオポエチン−２の値を、臨床的および人口統計学的変数（例：ＣＨＡ２ＤＳ２−ＶＡＳｃスコアまたはＡＢＣスコア）に基づくリスクスコアと組み合わせて使用することもでき、これにより、リスク予測の精度が向上する。
新しい患者の場合、リスクスコアの値は、適切な方法で評価される、それから測定されたアンジオポエチン−２値（潜在的にｌｏｇ２変換された）とともに、適切な方法で、例えば、リスクスコア結果、および適切にあらかじめ定義された重みをもつアンジオポエチン−２値の重み付き合計を作成することによって（例えば、表３に示すように）、結合される。
【図１ａ】
2021507216.tif 000008
【図１ｂ】
2021507216.tif 000009
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
被検者の脳卒中のリスクを予測する方法であって、
（ａ）心房細動を患う被検者からのサンプル中のアンジオポエチン−２（Ａｎｇ−２）の量および／またはインスリン様増殖因子結合タンパク質７（ＩＧＦＢＰ７）の量を決定するステップ、ならびに
（ｂ）基準量とＡｎｇ−２の量および／またはＩＧＦＢＰ７の量を比較し、それによって脳卒中のリスクが予測されるステップ、
を含む、方法。
【請求項２】
前記心房細動は、発作性、持続性または恒久性の心房細動である、請求項１に記載の方法。
【請求項３】
前記被検者は、脳卒中またはＴＩＡ（一過性脳虚血発作）の病歴を有する、請求項１または２に記載の方法。
【請求項４】
前記被検者は、抗凝固療法を受ける、請求項１〜３のいずれか一項に記載の方法。
【請求項５】
前記被検者はヒトである、および／または前記サンプルは血液、血清または血漿である、請求項１〜４のいずれか一項に記載の方法。
【請求項６】
前記基準量と比較して、Ａｎｇ−２の量および／もしくはＩＧＦＢＰ７の量が増加する場合は、脳卒中を患うリスクがある被検者を示唆する、ならびに／または、前記基準量と比較して、Ａｎｇ−２の量および／もしくはＩＧＦＢＰ７の量が減少するもしくは変化しない場合は、脳卒中を患うリスクがない被検者を示唆する、請求項１〜５のいずれか一項に記載の方法。
【請求項７】
予測ウィンドウが最大１０年の期間である、請求項１〜６のいずれか一項に記載の方法。
【請求項８】
さらに、前記被検者が脳卒中を患うリスクがあると特定された場合に、抗凝固療法を推奨するステップまたは抗凝固療法の強化を推奨するステップを含む、請求項１〜７のいずれか一項に記載の方法。
【請求項９】
被検者における脳卒中のリスクを予測する方法であって、
ａ）既知の臨床的脳卒中リスクスコアを有し心房細動を患う被検者からのサンプルにおいて、Ａｎｇ−２の量および／またはインスリン様増殖因子結合タンパク質７（ＩＧＦＢＰ７）の量を決定するステップ、
ｂ）前記被検者の前記臨床的脳卒中リスクスコアを評価するステップ、ならびに
ｃ）ステップａ）およびｂ）の結果に基づいて、脳卒中の前記リスクを予測するステップ
を含む、方法。
【請求項１０】
被検者の臨床的脳卒中リスクスコアの予測精度を改善する方法であって、
ａ）既知の臨床的脳卒中リスクスコアを有し心房細動を患う被検者からのサンプルにおいて、Ａｎｇ−２の量および／またはインスリン様増殖因子結合タンパク質７（ＩＧＦＢＰ７）の量を決定するステップ、ならびに
ｂ）Ａｎｇ−２および／またはＩＧＦＢＰ−７の量の値を前記臨床的脳卒中リスクスコアと組み合わせ、それによって、前記臨床的脳卒中リスクスコアの予測精度が改善されるステップ、
を含む、方法。
【請求項１１】
前記臨床的脳卒中リスクスコアは、ＣＨＡ２ＤＳ２−ＶＡＳｃスコア、ＣＨＡＤＳ２スコアまたはＡＢＣスコアである、請求項９または１０に記載の方法。
【請求項１２】
心房細動を患う被検者の脳卒中のリスクを予測するための、前記被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用。
【請求項１３】
臨床的脳卒中リスクスコアの予測精度を改善するための、心房細動を患う被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤、
の使用。
【請求項１４】
被検者が脳卒中を患うリスクを予測するための、臨床的脳卒中リスクスコアと組み合わされた、心房細動を患う被検者からのサンプルにおける、
ｉ）バイオマーカーＡｎｇ−２および／もしくはバイオマーカーＩＧＦＢＰ７、ならびに／または
ｉｉ）Ａｎｇ−２に特異的に結合する少なくとも１種の検出剤および／もしくはＩＧＦＢＰ７に特異的に結合する少なくとも１種の検出剤の使用。
【国際調査報告】
2021507216.tif 000010
2021507216.tif 000011
2021507216.tif 000012
2021507216.tif 000013